(57)【特許請求の範囲】
【請求項１】
画素電極とコモン電極とで液晶を挟持して液晶素子が構成された画素毎に印加電圧を指定する映像信号が入力されるとともに、補正した映像信号に基づいて前記液晶素子の印加電圧をそれぞれ規定する映像処理方法であって、
入力された映像信号を現フレームおよび現フレームよりも１つ前のフレームのそれぞれについて解析し、各画素の前記印加電圧の変化に応じてオーバードライブ駆動を行うための現フレームの映像信号を生成して出力するオーバードライブ制御ステップと、
入力された映像信号において前記印加電圧が第１電圧を下回る第１画素と、前記印加電圧が前記第１電圧よりも大きい第２電圧以上である第２画素との境界のうち、前記１つ前のフレームから現フレームにかけて変化する境界を検出する第１境界検出ステップと、
入力された現フレームの映像信号で指定される前記第１画素と前記第２画素との境界の一部であって、前記液晶のチルト方位で定まるリスク境界を検出する第２境界検出ステップと、
前記オーバードライブ制御ステップで出力された現フレームの映像信号において、前記第１境界検出ステップで検出された境界のうち、前記第２境界検出ステップで検出されたリスク境界に接する前記第１および第２画素の少なくとも一方の画素に対応する液晶素子への印加電圧を指定する映像信号を、前記オーバードライブ駆動が行われる画素を補正対象から除外して、当該第１および第２画素で生じる横電界を低減させるように補正する補正ステップと
を備え、
前記補正ステップにおいて、
前記１つ前のフレームの映像信号で指定される印加電圧が予め定められた第１閾値以下である前記第１画素について、当該第１画素に対応する液晶素子への印加電圧が前記第１電圧よりも低い第３電圧を下回る場合に、当該第１画素の印加電圧を前記第３電圧以上とするよう補正する
ことを特徴とする映像処理方法。
【請求項２】
画素電極とコモン電極とで液晶を挟持して液晶素子が構成された画素毎に印加電圧を指定する映像信号が入力されるとともに、補正した映像信号に基づいて前記液晶素子の印加電圧をそれぞれ規定する映像処理方法であって、
入力された映像信号を現フレームおよび現フレームよりも１つ前のフレームのそれぞれについて解析し、各画素の前記印加電圧の変化に応じてオーバードライブ駆動を行うための現フレームの映像信号を生成して出力するオーバードライブ制御ステップと、
入力された映像信号において前記印加電圧が第１電圧を下回る第１画素と、前記印加電圧が前記第１電圧よりも大きい第２電圧以上である第２画素との境界のうち、前記１つ前のフレームから現フレームにかけて変化する境界を検出する第１境界検出ステップと、
入力された現フレームの映像信号で指定される前記第１画素と前記第２画素との境界の一部であって、前記液晶のチルト方位で定まるリスク境界を検出する第２境界検出ステップと、
前記オーバードライブ制御ステップで出力された現フレームの映像信号において、前記第１境界検出ステップで検出された境界のうち、前記第２境界検出ステップで検出されたリスク境界に接する前記第１および第２画素の少なくとも一方の画素に対応する液晶素子への印加電圧を指定する映像信号を、前記オーバードライブ駆動が行われる画素を補正対象から除外して、当該第１および第２画素で生じる横電界を低減させるように補正する補正ステップと
を備え、
前記補正ステップにおいて、
前記オーバードライブ制御ステップで出力された前記１つ前のフレームの映像信号で指定される印加電圧が予め定められた第１閾値以下である前記第１画素について、当該第１画素に対応する液晶素子への印加電圧が前記第１電圧よりも低い第３電圧を下回る場合に、当該第１画素の印加電圧を前記第３電圧以上とするよう補正する
ことを特徴とする映像処理方法。
【請求項３】
前記補正ステップにおいて、
前記第１境界検出ステップで検出された境界のうち、前記第２境界検出ステップで検出されたリスク境界に接する前記第１画素から、当該リスク境界の反対側へ連続する２以上の予め定められた数の前記第１画素について、前記オーバードライブ駆動が行われない画素に対応する液晶素子への印加電圧が前記第３電圧を下回る場合に、前記第３電圧以上とするよう補正する
ことを特徴とする請求項１または２に記載の映像処理方法。
【請求項４】
前記補正ステップにおいて、
前記１つ前のフレームの映像信号で指定される印加電圧が予め定められた第２閾値以上である前記第２画素について、当該第２画素に対応する液晶素子への印加電圧を、前記第１電圧を上回り前記第２電圧を下回る第４電圧とするよう補正する
ことを特徴とする請求項１から３のいずれかに記載の映像処理方法。
【請求項５】
前記補正ステップにおいて、
前記オーバードライブ制御ステップで出力された前記１つ前のフレームの映像信号で指定される印加電圧が予め定められた第２閾値以上である前記第２画素について、当該第２画素に対応する液晶素子への印加電圧を、前記第１電圧を上回り前記第２電圧を下回る第４電圧とするよう補正する
ことを特徴とする請求項１から３のいずれかに記載の映像処理方法。
【請求項６】
前記補正ステップにおいて、
前記第１境界検出ステップで検出された境界のうち、前記第２境界検出ステップで検出されたリスク境界に接する前記第２画素から、当該リスク境界の反対側へ連続する２以上の予め定められた数の前記第２画素について、前記オーバードライブ駆動が行われない画素に対応する液晶素子への印加電圧を、前記第１電圧を上回り前記第２電圧を下回る第４電圧とするよう補正する
ことを特徴とする請求項１から５のいずれかに記載の映像処理方法。
【請求項７】
前記補正ステップにおいて、
前記第１境界検出ステップで検出された境界のうち、前記１つ前のフレームから現フレームにかけて１画素分だけ移動したリスク境界に接する画素を、前記横電界を低減させるための補正対象とする
ことを特徴とする請求項１から６のいずれかに記載の映像処理方法。
【請求項８】
画素電極とコモン電極とで液晶を挟持して液晶素子が構成された画素毎に液晶素子の印加電圧を指定する映像信号が入力されるとともに、補正した映像信号に基づいて前記液晶素子の印加電圧をそれぞれ規定する映像処理回路であって、
入力された映像信号を現フレームおよび現フレームよりも１つ前のフレームのそれぞれについて解析し、各画素の前記印加電圧の変化に応じてオーバードライブ駆動を行うための現フレームの映像信号を生成して出力するオーバードライブ制御部と、
入力された映像信号において前記印加電圧が第１電圧を下回る第１画素と、前記印加電圧が前記第１電圧よりも大きい第２電圧以上である第２画素との境界のうち、前記１つ前のフレームから現フレームにかけて変化する境界を検出する第１境界検出部と、
入力された現フレームの映像信号で指定される前記第１画素と前記第２画素との境界の一部であって、前記液晶のチルト方位で定まるリスク境界を検出する第２境界検出部と、
前記オーバードライブ制御部により出力された現フレームの映像信号において、前記第１境界検出部により検出された境界のうち、前記第２境界検出部により検出されたリスク境界に接する前記第１および第２画素の少なくとも一方の画素に対応する液晶素子への印加電圧を指定する映像信号を、前記オーバードライブ駆動が行われる画素を補正対象から除外して、当該第１および第２画素で生じる横電界を低減させるように補正する補正部と
を備え、
前記補正部は、
前記１つ前のフレームの映像信号で指定される印加電圧が予め定められた第１閾値以下である前記第１画素について、当該第１画素に対応する液晶素子への印加電圧が前記第１電圧よりも低い第３電圧を下回る場合に、当該第１画素の印加電圧を前記第３電圧以上とするよう補正する
ことを特徴とする映像処理回路。
【請求項９】
画素電極とコモン電極とで液晶を挟持して液晶素子が構成された画素毎に液晶素子の印加電圧を指定する映像信号が入力されるとともに、補正した映像信号に基づいて前記液晶素子の印加電圧をそれぞれ規定する映像処理回路であって、
入力された映像信号を現フレームおよび現フレームよりも１つ前のフレームのそれぞれについて解析し、各画素の前記印加電圧の変化に応じてオーバードライブ駆動を行うための現フレームの映像信号を生成して出力するオーバードライブ制御部と、
入力された映像信号において前記印加電圧が第１電圧を下回る第１画素と、前記印加電圧が前記第１電圧よりも大きい第２電圧以上である第２画素との境界のうち、前記１つ前のフレームから現フレームにかけて変化する境界を検出する第１境界検出部と、
入力された現フレームの映像信号で指定される前記第１画素と前記第２画素との境界の一部であって、前記液晶のチルト方位で定まるリスク境界を検出する第２境界検出部と、
前記オーバードライブ制御部により出力された現フレームの映像信号において、前記第１境界検出部により検出された境界のうち、前記第２境界検出部により検出されたリスク境界に接する前記第１および第２画素の少なくとも一方の画素に対応する液晶素子への印加電圧を指定する映像信号を、前記オーバードライブ駆動が行われる画素を補正対象から除外して、当該第１および第２画素で生じる横電界を低減させるように補正する補正部と
を備え、
前記補正部は、
前記オーバードライブ制御部により出力された前記１つ前のフレームの映像信号で指定される印加電圧が予め定められた第１閾値以下である前記第１画素について、当該第１画素に対応する液晶素子への印加電圧が前記第１電圧よりも低い第３電圧を下回る場合に、当該第１画素の印加電圧を前記第３電圧以上とするよう補正する
ことを特徴とする映像処理回路。
【請求項１０】
第１基板に複数の画素の各々に対応して設けられた画素電極と第２基板に設けられたコモン電極とにより液晶が挟持された液晶素子を有する液晶パネルと、
画素毎に液晶素子の印加電圧を指定する映像信号が入力されるとともに、補正した映像信号に基づいて前記液晶素子の印加電圧をそれぞれ規定する映像処理回路と
を備え、
前記映像処理回路は、
入力された映像信号を現フレームおよび現フレームよりも１つ前のフレームのそれぞれについて解析し、各画素の前記印加電圧の変化に応じてオーバードライブ駆動を行うための現フレームの映像信号を生成して出力するオーバードライブ制御部と、
入力された映像信号において前記印加電圧が第１電圧を下回る第１画素と、前記印加電圧が前記第１電圧よりも大きい第２電圧以上である第２画素との境界のうち、前記１つ前のフレームから現フレームにかけて変化する境界を検出する第１境界検出部と、
入力された現フレームの映像信号で指定される前記第１画素と前記第２画素との境界の一部であって、前記液晶のチルト方位で定まるリスク境界を検出する第２境界検出部と、
前記オーバードライブ制御部により出力された現フレームの映像信号において、前記第１境界検出部により検出された境界のうち、前記第２境界検出部により検出されたリスク境界に接する前記第１および第２画素の少なくとも一方の画素に対応する液晶素子への印加電圧を指定する映像信号を、前記オーバードライブ駆動が行われる画素を補正対象から除外して、当該第１および第２画素で生じる横電界を低減させるように補正する補正部と
を有し、
前記補正部は、
前記１つ前のフレームの映像信号で指定される印加電圧が予め定められた第１閾値以下である前記第１画素について、当該第１画素に対応する液晶素子への印加電圧が前記第１電圧よりも低い第３電圧を下回る場合に、当該第１画素の印加電圧を前記第３電圧以上とするよう補正する
ことを特徴とする液晶表示装置。
【請求項１１】
第１基板に複数の画素の各々に対応して設けられた画素電極と第２基板に設けられたコモン電極とにより液晶が挟持された液晶素子を有する液晶パネルと、
画素毎に液晶素子の印加電圧を指定する映像信号が入力されるとともに、補正した映像信号に基づいて前記液晶素子の印加電圧をそれぞれ規定する映像処理回路と
を備え、
前記映像処理回路は、
入力された映像信号を現フレームおよび現フレームよりも１つ前のフレームのそれぞれについて解析し、各画素の前記印加電圧の変化に応じてオーバードライブ駆動を行うための現フレームの映像信号を生成して出力するオーバードライブ制御部と、
入力された映像信号において前記印加電圧が第１電圧を下回る第１画素と、前記印加電圧が前記第１電圧よりも大きい第２電圧以上である第２画素との境界のうち、前記１つ前のフレームから現フレームにかけて変化する境界を検出する第１境界検出部と、
入力された現フレームの映像信号で指定される前記第１画素と前記第２画素との境界の一部であって、前記液晶のチルト方位で定まるリスク境界を検出する第２境界検出部と、
前記オーバードライブ制御部により出力された現フレームの映像信号において、前記第１境界検出部により検出された境界のうち、前記第２境界検出部により検出されたリスク境界に接する前記第１および第２画素の少なくとも一方の画素に対応する液晶素子への印加電圧を指定する映像信号を、前記オーバードライブ駆動が行われる画素を補正対象から除外して、当該第１および第２画素で生じる横電界を低減させるように補正する補正部と
を有し、
前記補正部は、
前記オーバードライブ制御部により出力された前記１つ前のフレームの映像信号で指定される印加電圧が予め定められた第１閾値以下である前記第１画素について、当該第１画素に対応する液晶素子への印加電圧が前記第１電圧よりも低い第３電圧を下回る場合に、当該第１画素の印加電圧を前記第３電圧以上とするよう補正する
ことを特徴とする液晶表示装置。
【請求項１２】
請求項１０又は１１に記載された液晶表示装置を有することを特徴とする電子機器。
【発明の詳細な説明】
【技術分野】
【０００１】
本発明は、液晶パネルにおける表示上の不具合を低減する技術に関する。
【背景技術】
【０００２】
液晶パネルは、一定の間隙に保たれた一対の基板によって液晶を挟持した構成である。詳細には、液晶パネルは、一方の基板において画素毎に画素電極がマトリクス状に配列し、他方の基板にコモン電極が各画素にわたって共通となるように設けられ、画素電極とコモン電極とで液晶を挟持した構成となっている。画素電極とコモン電極との間において、階調レベルに応じた電圧を印加・保持させると、液晶の配向状態が画素毎に規定され、これにより、透過率または反射率が制御される。したがって、上記構成では、液晶分子に作用する電界のうち、画素電極からコモン電極に向かう方向（またはその反対方向）、すなわち、基板面に対して垂直方向（縦方向）の成分だけが表示制御に寄与する、ということができる。
【０００３】
ところで、近年のように小型化、高精細化のために画素ピッチが狭くなると、互いに隣接する画素電極同士で生じる電界、すなわち基板面に対して平行方向（横方向）の電界が生じて、その影響が無視できなくなりつつある。例えばＶＡ（Vertical Alignment）方式や、ＴＮ（Twisted Nematic）方式などのように縦方向の電界により駆動されるべき液晶に対して、横電界が加わると、液晶の配向不良（つまり、リバースチルトドメイン）が発生し、表示上の不具合が発生してしまう、という問題が生じた。
このリバースチルトドメインの影響を低減するために、画素電極に合わせて遮光層（開口部）の形状を規定するなどして液晶パネルの構造を工夫する技術（例えば特許文献１参照）や、映像信号から算出した平均輝度値が閾値以下の場合にリバースチルトドメインが発生すると判断して、設定値以上の映像信号をクリップする技術（例えば特許文献２参照）などが提案されている。
【先行技術文献】
【特許文献】
【０００４】
【特許文献１】特開平６−３４９６５号公報（図１）
【特許文献２】特開２００９−６９６０８号公報（図２）
【発明の概要】
【発明が解決しようとする課題】
【０００５】
しかしながら、液晶パネルの構造によってリバースチルトドメインを低減する技術では、開口率が低下しやすく、また、構造を工夫しないで既に製作された液晶パネルに適用することができない、という欠点がある。一方、設定値以上の映像信号をクリップする技術では、表示する画像の明るさが設定値に制限されてしまう、という欠点もある。
ところで、電気光学物質として、液晶を用いた電気光学装置では、液晶の応答速度が低いことから、特に動画の表示特性が低下する、という問題が発生する。具体的には、表示された画像に残像感が現れたり、移動するカーソルが消失したりするなどの問題が発生している。この問題を解決するために、１つ前のフレームから現フレームにかけて階調変化があったとき、現フレームの最初のフィールドにおいて画素に対し、現フレームで指定される階調よりも、階調変化方向に過剰に振った階調相当電圧を印加して、液晶の応答速度を引き上げるオーバードライブ駆動と呼ばれる技術が提案されている。
本発明は、上述した事情に鑑みてなされたもので、その目的の一つは、オーバードライブ駆動を有効にしつつ、リバースチルトドメインを低減する技術の従来からの欠点を解消することにある。
【課題を解決するための手段】
【０００６】
上記目的を達成するために、本発明に係る映像処理方法にあっては、画素電極とコモン電極とで液晶を挟持して液晶素子が構成された画素毎に印加電圧を指定する映像信号が入力されるとともに、補正した映像信号に基づいて前記液晶素子の印加電圧をそれぞれ規定する映像処理方法であって、入力された映像信号を現フレームおよび現フレームよりも１つ前のフレームのそれぞれについて解析し、各画素の前記印加電圧の変化に応じてオーバードライブ駆動を行うための現フレームの映像信号を生成して出力するオーバードライブ制御ステップと、入力された映像信号において前記印加電圧が第１電圧を下回る第１画素と、前記印加電圧が前記第１電圧よりも大きい第２電圧以上である第２画素との境界のうち、前記１つ前のフレームから現フレームにかけて変化する境界を検出する第１境界検出ステップと、入力された現フレームの映像信号で指定される前記第１画素と前記第２画素との境界の一部であって、前記液晶のチルト方位で定まるリスク境界を検出する第２境界検出ステップと、前記オーバードライブ制御ステップで出力された現フレームの映像信号において、前記第１境界検出ステップで検出された境界のうち、前記第２境界検出ステップで検出されたリスク境界に接する前記第１および第２画素の少なくとも一方の画素に対応する液晶素子への印加電圧を指定する映像信号を、前記オーバードライブ駆動が行われる画素を補正対象から除外して、当該第１および第２画素で生じる横電界を低減させるように補正する補正ステップとを備え、前記補正ステップにおいて、前記１つ前のフレームの映像信号で指定される印加電圧が予め定められた第１閾値以下である前記第１画素について、当該第１画素に対応する液晶素子への印加電圧が前記第１電圧よりも低い第３電圧を下回る場合に、当該第１画素の印加電圧を前記第３電圧以上とするよう補正することを特徴とする。
本発明によれば、液晶パネルの構造を変更する必要がないので、開口率の低下を招くこともないし、また、構造を工夫しないで既に製作された液晶パネルに適用することも可能である。さらに、一つ前のフレームから現フレームにかけて変化のあったリスク境界に接する画素のうち、第２画素に対応する液晶素子への印加電圧を、映像信号で指定される階調レベルに対応する値から横電界を低減させる電圧に補正するので、表示する画像の明るさが設定値に制限されてしまうこともない。さらに、本発明では、オーバードライブ駆動が行われる画素については、補正対象から除外されるので、リバースチルトドメインの抑制に係る補正により、オーバードライブ駆動が無効になることがない。
【０００７】
また、本発明に係る映像処理方法にあっては、画素電極とコモン電極とで液晶を挟持して液晶素子が構成された画素毎に印加電圧を指定する映像信号が入力されるとともに、補正した映像信号に基づいて前記液晶素子の印加電圧をそれぞれ規定する映像処理方法であって、入力された映像信号を現フレームおよび現フレームよりも１つ前のフレームのそれぞれについて解析し、各画素の前記印加電圧の変化に応じてオーバードライブ駆動を行うための現フレームの映像信号を生成して出力するオーバードライブ制御ステップと、入力された映像信号において前記印加電圧が第１電圧を下回る第１画素と、前記印加電圧が前記第１電圧よりも大きい第２電圧以上である第２画素との境界のうち、前記１つ前のフレームから現フレームにかけて変化する境界を検出する第１境界検出ステップと、入力された現フレームの映像信号で指定される前記第１画素と前記第２画素との境界の一部であって、前記液晶のチルト方位で定まるリスク境界を検出する第２境界検出ステップと、前記オーバードライブ制御ステップで出力された現フレームの映像信号において、前記第１境界検出ステップで検出された境界のうち、前記第２境界検出ステップで検出されたリスク境界に接する前記第１および第２画素の少なくとも一方の画素に対応する液晶素子への印加電圧を指定する映像信号を、前記オーバードライブ駆動が行われる画素を補正対象から除外して、当該第１および第２画素で生じる横電界を低減させるように補正する補正ステップとを備え、前記補正ステップにおいて、前記オーバードライブ制御ステップで出力された前記１つ前のフレームの映像信号で指定される印加電圧が予め定められた第１閾値以下である前記第１画素について、当該第１画素に対応する液晶素子への印加電圧が前記第１電圧よりも低い第３電圧を下回る場合に、当該第１画素の印加電圧を前記第３電圧以上とするよう補正することを特徴とする。
本発明によれば、オーバードライブ駆動が行われる画素については、補正対象から除外されるので、リバースチルトドメインの抑制に係る補正により、オーバードライブ駆動が無効になることがない。
【０００９】
また、本発明において、前記補正ステップにおいて、前記第１境界検出ステップで検出された境界のうち、前記第２境界検出ステップで検出されたリスク境界に接する前記第１画素から、当該リスク境界の反対側へ連続する２以上の予め定められた数の前記第１画素について、前記オーバードライブ駆動が行われない画素に対応する液晶素子への印加電圧が前記第３電圧を下回る場合に、前記第３電圧以上とするよう補正するようにしてもよい。
本発明によれば、映像信号の補正による印加電圧の変化を目立たなくすることができる。また、液晶分子が不安定な状態が次の更新（書換）でも継続してしまうことを抑えることが可能となる。また、本発明によれば、液晶素子の応答時間が、表示画面が更新される時間間隔より長い場合でも、リバースチルトドメインの発生を抑えることが可能となる。
【００１０】
本発明において、前記補正ステップにおいて、前記１つ前のフレームの映像信号で指定される印加電圧が予め定められた第２閾値以上である前記第２画素について、当該第２画素に対応する液晶素子への印加電圧を、前記第１電圧を上回り前記第２電圧を下回る第４電圧とするよう補正するようにしてもよい。
本発明によれば、前フレームの映像信号で指定される印加電圧を参照することで、比較的容易に現フレームでオーバードライブ駆動が行われる第２画素を特定することができる。
【００１１】
また、本発明において、前記補正ステップにおいて、前記オーバードライブ制御ステップで出力された前記１つ前のフレームの映像信号で指定される印加電圧が予め定められた第２閾値以上である前記第２画素について、当該第２画素に対応する液晶素子への印加電圧を、前記第１電圧を上回り前記第２電圧を下回る第４電圧とするよう補正するようにしてもよい。
本発明によれば、オーバードライブ駆動に関する制御後の前フレームの映像信号で指定される印加電圧を参照することで、比較的容易に現フレームでオーバードライブ駆動が行われる第２画素を特定することができる。
【００１２】
また、本発明において、前記補正ステップにおいて、前記第１境界検出ステップで検出された境界のうち、前記第２境界検出ステップで検出されたリスク境界に接する前記第２画素から、当該リスク境界の反対側へ連続する２以上の予め定められた数の前記第２画素について、前記オーバードライブ駆動が行われない画素に対応する液晶素子への印加電圧を、前記第１電圧を上回り前記第２電圧を下回る第４電圧とするよう補正するようにしてもよい。
本発明によれば、映像信号の補正による印加電圧の変化を目立たなくすることができる。また、本発明によれば、液晶素子の応答時間が、表示画面が更新される時間間隔より長い場合でも、リバースチルトドメインの発生を抑えることが可能となる。本発明によれば、映像信号の補正による印加電圧の変化を目立たなくすることができる。
【００１３】
また、本発明において、前記補正ステップにおいて、前記第１境界検出ステップで検出された境界のうち、前記１つ前のフレームから現フレームにかけて１画素分だけ移動したリスク境界に接する画素を、前記横電界を低減させるための補正対象とすることが好ましい。
本発明によれば、リバースチルトドメインの影響を受けやすく尾引き現象が目立つ箇所に絞って映像信号を補正するから、入力された映像信号の変化を抑えることができる。
【００１４】
なお、本発明は、映像処理方法のほか、映像処理回路、液晶表示装置および当該液晶表示装置を含む電子機器としても概念することが可能である。
【図面の簡単な説明】
【００１５】
【図１】本発明の実施形態に係る映像処理回路を適用した液晶表示装置を示す図。
【図２】同液晶表示装置における液晶素子の等価回路を示す図。
【図３】同映像処理回路の構成を示す図。
【図４】同映像処理回路の動き検出部および補正部の構成を示す図。
【図５】オーバードライブ駆動の原理を説明する図。
【図６】オーバードライブ駆動の原理を説明する図。
【図７】同液晶表示装置を構成する液晶パネルのＶ−Ｔ特性を示す図。
【図８】同液晶パネルにおける表示動作を示す図。
【図９】同液晶パネルにおいてＶＡ方式としたときの初期配向の説明図。
【図１０】同液晶パネルにおける画像の動きを説明するための図。
【図１１】同液晶パネルにおいて発生するリバースチルトの説明図。
【図１２】同液晶パネルにおける画像の動きを説明するための図。
【図１３】同液晶パネルにおいて発生するリバースチルトの説明図。
【図１４】同映像処理回路における動き検出の手順を示す図。
【図１５】同映像処理回路におけるリスク境界の検出手順を示す図。
【図１６】同映像処理回路における補正処理を示す図。
【図１７】同映像処理回路における補正処理を示す図。
【図１８】同液晶パネルにおいて他のチルト方位角としたときの図。
【図１９】同液晶パネルにおいて他のチルト方位角としたときの図。
【図２０】本発明の第２実施形態に係る映像処理回路における補正処理を示す図。
【図２１】同映像処理回路における補正処理を示す図。
【図２２】本発明の第３実施形態に係る映像処理回路の構成を示す図。
【図２３】同映像処理回路における補正処理を示す図。
【図２４】本発明の第４実施形態に係る映像処理回路における補正処理を示す図。
【図２５】同映像処理回路における補正処理を示す図。
【図２６】本発明の第５実施形態に係る映像処理回路の構成を示す図。
【図２７】同映像処理回路における補正処理を示す図。
【図２８】同映像処理回路における補正処理を示す図。
【図２９】本発明の第６実施形態に係る映像処理回路における補正処理を示す図。
【図３０】同映像処理回路における補正処理を示す図。
【図３１】本発明の第７実施形態に係る映像処理回路における補正処理を示す図。
【図３２】同液晶パネルにおいてＴＮ方式としたときの初期配向の説明図。
【図３３】同液晶パネルにおいて発生するリバースチルトの説明図。
【図３４】同液晶パネルにおいて発生するリバースチルトの説明図。
【図３５】液晶表示装置を適用したプロジェクターを示す図。
【図３６】横電界の影響による表示上の不具合等を示す図。
【発明を実施するための形態】
【００１６】
以下、本発明の実施の形態について図面を参照しつつ説明する。
＜第１実施形態＞
まず、本発明の第１実施形態について説明する。
図１は、本実施形態に係る映像処理回路を適用した液晶表示装置の全体構成を示すブロック図である。
図１に示すように、液晶表示装置１は、制御回路１０と、液晶パネル１００と、走査線駆動回路１３０と、データ線駆動回路１４０とを備える。制御回路１０には、映像信号Ｖid-inが上位装置から同期信号Ｓynｃに同期して供給される。映像信号Ｖid-inは、液晶パネル１００における各画素の階調レベルをそれぞれ指定するデジタルデータであり、同期信号Ｓynｃに含まれる垂直走査信号、水平走査信号およびドットクロック信号（いずれも図示省略）に従った走査の順番で供給される。
なお、映像信号Ｖid-inは階調レベルを指定するが、階調レベルに応じて液晶素子の印加電圧が定まるので、映像信号Ｖid-inは液晶素子の印加電圧を指定するものといって差し支えない。
【００１７】
制御回路１０は、走査制御回路２０と映像処理回路３０とを備える。走査制御回路２０は、各種の制御信号を生成して、同期信号Ｓynｃに同期して各部を制御する。映像処理回路３０は、詳細については後述するが、デジタルの映像信号Ｖid-inを処理して、アナログのデータ信号Ｖxを出力する。
【００１８】
液晶パネル１００は、素子基板（第１基板）１００ａと対向基板（第２基板）１００ｂとが一定の間隙を保って貼り合わせられるとともに、この間隙に、縦方向の電界で駆動される液晶１０５が挟持された構成である。素子基板１００ａのうち、対向基板１００ｂとの対向面には、複数ｍ行の走査線１１２が図においてＸ（横）方向に沿って設けられる一方、複数ｎ列のデータ線１１４が、Ｙ（縦）方向に沿って、且つ各走査線１１２と互いに電気的に絶縁を保つように設けられている。
なお、この実施形態では、走査線１１２を区別するために、図において上から順に１、２、３、…、（ｍ−１）、ｍ行目という呼び方をする場合がある。同様に、データ線１１４を区別するために、図において左から順に１、２、３、…、（ｎ−１）、ｎ列目という呼び方をする場合がある。
【００１９】
素子基板１００ａでは、さらに、走査線１１２とデータ線１１４との交差のそれぞれに対応して、ｎチャネル型のＴＦＴ１１６と矩形形状で透明性を有する画素電極１１８との組が設けられている。ＴＦＴ１１６のゲート電極は走査線１１２に接続され、ソース電極はデータ線１１４に接続され、ドレイン電極が画素電極１１８に接続されている。一方、対向基板１００ｂのうち、素子基板１００ａとの対向面には、透明性を有するコモン電極１０８が全面にわたって設けられる。コモン電極１０８には、図示省略した回路によって電圧ＬＣｃomが印加される。
なお、図１において、素子基板１００ａの対向面は紙面裏側であるので、当該対向面に設けられる走査線１１２、データ線１１４、ＴＦＴ１１６および画素電極１１８については、破線で示すべきであるが、見難くなるのでそれぞれ実線で示す。
【００２０】
図２は、液晶パネル１００における等価回路を示す図である。
図２に示すように、液晶パネル１００は、走査線１１２とデータ線１１４との交差に対応して、画素電極１１８とコモン電極１０８とで液晶１０５を挟持した液晶素子１２０が配列した構成である。図１では省略したが、液晶パネル１００における等価回路では、実際には図２に示すように、液晶素子１２０に対して並列に補助容量（蓄積容量）１２５が設けられる。補助容量１２５は、一端が画素電極１１８に接続され、他端が容量線１１５に共通接続されている。容量線１１５は時間的に一定の電圧に保たれている。
ここで、走査線１１２がＨレベルになると、その走査線にゲート電極が接続されたＴＦＴ１１６がオンとなり、画素電極１１８がデータ線１１４に接続される。このため、走査線１１２がＨレベルであるときに、データ線１１４に階調に応じた電圧のデータ信号を供給すると、そのデータ信号は、オンしたＴＦＴ１１６を介して画素電極１１８に印加される。走査線１１２がＬレベルになると、ＴＦＴ１１６はオフするが、画素電極１１８に印加された電圧は、液晶素子１２０の容量性および補助容量１２５によって保持される。
液晶素子１２０では、画素電極１１８およびコモン電極１０８によって生じる電界に応じて液晶１０５の分子配向状態が変化する。このため、液晶素子１２０は、透過型であれば、印加・保持電圧に応じた透過率となる。液晶パネル１００では、液晶素子１２０毎に透過率が変化するので、液晶素子１２０が画素に相当する。そして、この画素の配列領域が表示領域１０１となる。
なお、本実施形態においては、液晶１０５をＶＡ方式として、液晶素子１２０が電圧無印加時において黒状態となるノーマリーブラックモードとする。
【００２１】
走査線駆動回路１３０は、走査制御回路２０による制御信号Ｙｃtrにしたがって、１、２、３、…、ｍ行目の走査線１１２に、走査信号Ｙ１、Ｙ２、Ｙ３、…、Ｙｍを供給する。詳細には、走査線駆動回路１３０は、図８（ａ）に示すように、走査線１１２をフレームにわたって１、２、３、…、（ｍ−１）、ｍ行目という順番で選択するとともに、選択した走査線への走査信号を選択電圧ＶＨ（Ｈレベル）とし、それ以外の走査線への走査信号を非選択電圧ＶＬ（Ｌレベル）とする。
なお、フレームとは、液晶パネル１００を駆動することによって、画像の１コマ分を表示させるのに要する期間をいい、同期信号Ｓynｃに含まれる垂直走査信号の周波数が６０Ｈｚであれば、その逆数である１６．７ミリ秒である。
【００２２】
データ線駆動回路１４０は、映像処理回路３０から供給されるデータ信号Ｖxを、走査制御回路２０による制御信号Ｘｃtrにしたがって１〜ｎ列目のデータ線１１４にデータ信号Ｘ1〜Ｘnとしてサンプリングする。
なお、本説明において電圧については、液晶素子１２０の印加電圧を除き、特に明記しない限り図示省略した接地電位を電圧ゼロの基準とする。液晶素子１２０の印加電圧は、コモン電極１０８の電圧ＬＣｃomと画素電極１１８との電位差であり、他の電圧と区別するためである。
【００２３】
さて、液晶素子１２０の印加電圧と透過率との関係は、ノーマリーブラックモードであれば、例えば図７（ａ）に示すようなＶ−Ｔ特性で表される。このため、液晶素子１２０を、映像信号Ｖid-inで指定された階調レベルに応じた透過率とさせるには、その階調レベルに応じた電圧を液晶素子１２０に印加すればよいはずである。しかしながら、液晶素子１２０の印加電圧を、映像信号Ｖid-inで指定される階調レベルに応じて単に規定するだけでは、リバースチルトドメインに起因する表示上の不具合が発生する場合がある。
【００２４】
リバースチルトドメインに起因する表示上の不具合の例について説明する。例えば図３６に示すように、映像信号Ｖid-inで示す画像が、白画素を背景として黒画素が連続する黒パターンがフレーム毎に１画素ずつ右方向に移動する場合に、その黒パターンの左端縁部（動きの後縁部）において黒画素から白画素に変化すべき画素がリバースチルトドメインの発生によって白画素にならない、という一種の尾引き現象として顕在化する。
なお、本実施形態のように、液晶パネル１００が、映像信号Ｖid-inの供給速度と等倍速で駆動される場合に、白画素を背景とした黒画素の領域がフレーム毎に２画素以上ずつ移動するとき、液晶素子の応答時間が、表示画面が更新される時間間隔より短ければ、このような尾引き現象は顕在化しない（または、視認されにくい）。この理由は、次のように考えられる。すなわち、あるフレームにおいて、白画素と黒画素とが隣接したときに、その白画素でリバースチルトドメインが発生するかもしれないが、画像の動きを考えると、リバースチルトドメインが発生する画素が離散的となるので、視覚的に目立たない、と考えられるからである。
なお、図３６において見方を変えると、黒画素を背景として白画素が連続する白パターンがフレーム毎に１画素ずつ右方向に移動する場合に、その白パターンの右端縁部（動きの先端部）において黒画素から白画素に変化すべき画素がリバースチルトドメインの発生によって白画素にならない、ということもできる。
また、図３６においては、説明の便宜上、画像のうち、１ラインの境界付近を抜き出している。
【００２５】
リバースチルトドメインに起因する表示上のこの不具合は、液晶素子１２０において挟持された液晶分子が不安定な状態にあるときに、横電界の影響によって乱れる結果、以後、印加電圧に応じた配向状態になりにくくなることが原因のひとつとして考えられている。
ここで、横電界の影響を受ける場合とは、互いに隣り合う画素電極同士の電位差が大きくなる場合であり、これは、表示しようとする画像において黒レベルの（または黒レベルに近い）暗画素と、白レベルの（または白レベルに近い）明画素とが隣接する場合である。
このうち、暗画素については、印加電圧がノーマリーブラックモードにおける黒レベルの電圧Ｖbk以上であって閾値Ｖth1（第１電圧）を下回る電圧範囲Ａにある液晶素子１２０の画素をいうことにする。また、便宜的に、液晶素子の印加電圧が電圧範囲Ａにある液晶素子の透過率範囲（階調範囲）を「ａ」とする。
次に、明画素については、印加電圧が閾値Ｖth2（第２電圧）以上であってノーマリーブラックモードにおける白レベル電圧Ｖwt以下の電圧範囲Ｂにある液晶素子１２０とする。便宜的に、液晶素子の印加電圧が電圧範囲Ｂにある液晶素子の透過率範囲（階調範囲）を「ｂ」とする。
【００２６】
液晶分子が不安定な状態であるときとは、液晶素子の印加電圧が電圧範囲ＡにおいてＶc1を下回るときである。液晶素子の印加電圧がＶc1を下回るときは、その印加電圧による縦電界の規制力が配向膜による規制力と比較して弱いので、液晶分子の配向状態は、わずかな外的要因によって乱れやすい。また、その後、印加電圧がＶc1以上になったときに、その印加電圧に応じて液晶分子が傾斜しようとしても、応答に時間がかかりやすいためである。逆にいえば、印加電圧がＶc1以上であれば、液晶分子が印加電圧に応じて傾斜し始める（透過率が変化し始める）ので、液晶分子の配向状態は安定状態にある、ということができる。このため、電圧Ｖc1は、透過率で規定した閾値Ｖth1よりも低い関係にある。
【００２７】
このように考えた場合、変化前において液晶分子が不安定な状態にあった画素は、画像の動きによって暗画素と明画素とが隣接することになったときの横電界の影響によって、リバースチルトドメインが発生しやすい状況にあるということができる。ただし、液晶分子の初期配向状態を考慮して検討すると、暗画素と明画素との位置関係によってリバースチルトドメインが発生する場合と発生しない場合とがある。
そこで次に、これらの場合をそれぞれ検討する。
【００２８】
図９（ａ）は、液晶パネル１００において互いに縦方向および横方向に隣接する２×２の画素を示す図であり、図９（ｂ）は、液晶パネル１００を、図９（ａ）におけるｐ−ｑ線を含む垂直面で破断したときの簡易断面図である。
図９に示すように、ＶＡ方式の液晶分子は、画素電極１１８とコモン電極１０８との電位差（液晶素子の印加電圧）がゼロである状態において、チルト角がθaで、チルト方位角がθb（＝４５度）で、初期配向しているものとする。ここで、リバースチルトドメインは、上述したように画素電極１１８同士の横電界に起因して発生することから、画素電極１１８が設けられた素子基板１００ａの側における液晶分子の振る舞いが問題となる。このため、液晶分子のチルト方位角およびチルト角については、画素電極１１８（素子基板１００ａ）の側を基準にして規定する。
【００２９】
詳細には、チルト角θaとは、図９（ｂ）に示すように、基板法線Ｓvを基準にして、液晶分子の長軸Ｓaのうち、画素電極１１８側の一端を固定点としてコモン電極１０８側の他端が傾斜したときに、液晶分子の長軸Ｓaがなす角度とする。
一方、チルト方位角θbとは、データ線１１４の配列方向であるＹ方向に沿った基板垂直面を基準にして、液晶分子の長軸Ｓaおよび基板法線Ｓvを含む基板垂直面（ｐ−ｑ線を含む垂直面）がなす角度とする。なお、チルト方位角θbについては、画素電極１１８の側からコモン電極１０８に向けて平面視したときに、画面上方向（Ｙ方向の反対方向）から、液晶分子の長軸の一端を始点として他端に向かう方向（図９（ａ）では右上方向）までを、時計回りで規定した角度とする。
また、同様に画素電極１１８の側から平面視したときに、液晶分子における画素電極側の一端から他端に向かう方向を便宜的にチルト方位の下流側と呼び、反対に他端から一端に向かう方向（図９（ａ）では左下方向）を便宜的にチルト方位の上流側と呼ぶことにする。
【００３０】
このような初期配向となる液晶１０５を用いた液晶パネル１００において、例えば図１０（ａ）に示すように、破線で囲まれた２×２の４画素に着目する。図１０（ａ）では、白レベルの画素（白画素）からなる領域を背景として黒レベルの画素（黒画素）からなるパターンが右上方向にフレーム毎に１画素ずつ移動する場合を示している。
すなわち、図１１（ａ）に示すように、（ｎ−１）フレームにおいて２×２の４画素がすべて黒画素の状態から、ｎフレームにおいて、左下の１画素だけが白画素に変化するときを想定する。上述したようにノーマリーブラックモードにおいて、画素電極１１８とコモン電極１０８との電位差である印加電圧は、黒画素よりも白画素で大きい。このため、黒から白に変化する左下の画素では、図１１（ｂ）のように、液晶分子が実線で示される状態から破線で示される状態に、電界方向とは垂直方向（基板面の水平方向）に傾斜しようとする。
【００３１】
しかしながら、白画素の画素電極１１８（Ｗt）と黒画素の画素電極１１８（Ｂk）との間隙で生じる電位差は、白画素の画素電極１１８（Ｗt）とコモン電極１０８との間で生じる電位差と同程度である上に、画素電極同士の間隙が画素電極１１８とコモン電極１０８との間隙よりも狭い。従って、電界の強度で比較すると、画素電極１１８（Ｗt）と画素電極１１８（Ｂk）との間隙で生じる横電界は、画素電極１１８（Ｗt）とコモン電極１０８との間隙で生じる縦電界よりも強い。
左下の画素は、（ｎ−１）フレームにおいて液晶分子が不安定な状態の黒画素であっため、液晶分子が縦電界の強度に応じて傾斜するまでに時間がかかる。一方、白レベルの電圧が画素電極１１８（Ｗt）に印加されたことによる縦電界よりも、隣接する画素電極１１８（Ｂk）からの横電界の方が強い。従って、白になろうとしている画素では、図１１（ｂ）に示すように、黒画素に隣接する側の液晶分子Ｒvが、縦電界にしたがって傾斜しようとする他の液晶分子よりも時間的に先んじてリバースチルト状態となる。
先にリバースチルト状態となった液晶分子Ｒvは、縦電界に応じて破線のように基板水平方向に傾斜しようとする他の液晶分子の動きに悪影響を与える。このため、白に変化すべき画素においてリバースチルトが発生する領域は、図１１（ｃ）に示すように、白に変化すべき画素と黒画素との間隙にとどまらず、その間隙から白に変化すべき画素を浸食する形で広範囲に拡がる。
このように、図１１から、白に変化しようとする着目画素の周辺が黒画素であった場合、その着目画素に対して黒画素が右上側、右側および上側で隣接するとき、その着目画素では、リバースチルトが右辺および上辺に沿った内周領域にて発生する、ということができる。
なお、図１１（ａ）に示されるパターンの変化は、図１０（ａ）に示した例のみならず、黒画素からなるパターンが、図１０（ｂ）に示すように右方向にフレーム毎に１画素ずつ移動する場合や、図１０（ｃ）に示すように上方向にフレーム毎に１画素ずつ移動する場合などでも発生する。また、図３６の説明において見方を変えた場合のように、黒画素からなる領域を背景として白画素からなるパターンがフレーム毎に右上方向、右方向または上方向に、１画素ずつ移動する場合にも発生する。
【００３２】
次に、液晶パネル１００において、図１２（ａ）に示すように、白画素からなる領域を背景として黒画素からなるパターンが左下方向にフレーム毎に１画素ずつ移動する場合に、破線で囲まれた２×２の４画素に着目する。
すなわち、図１３（ａ）に示すように、（ｎ−１）フレームにおいて２×２の４画素がすべて黒画素の状態から、ｎフレームにおいて、右上の１画素だけが白画素に変化するときを想定する。
この変化後においても、黒画素の画素電極１１８（Ｂk）と白画素の画素電極１１８（Ｗt）との間隙では、画素電極１１８（Ｗt）とコモン電極１０８との間隙の縦電界よりも強い横電界が発生する。この横電界によって、図１３（ｂ）に示すように、黒画素において白画素に隣接する側の液晶分子Ｒvは、縦電界にしたがって傾斜しようとする他の液晶分子よりも時間的に先んじて配向が変化して、リバースチルト状態となる。しかし、黒画素では縦電界が（ｎ−１）フレームから変化しないので、他の液晶分子に影響をほとんど与えない。このため、黒画素から変化しない画素においてリバースチルトが発生する領域は、図１３（ｃ）に示すように、図１１（ｃ）の例と比較して無視できる程度に狭い。
一方、２×２の４画素のうち、右上において黒から白に変化する画素では、液晶分子の初期配向方向が横電界の影響を受けにくい方向であるので、縦電界が加わっても、リバースチルト状態となる液晶分子がほとんど存在しない。このため、右上画素では、縦電界の強度が大きくなるにつれて、液晶分子が基板面の水平方向に図１３（ｂ）において破線で示すように正しく傾斜する結果、目的である白画素に変化するので、表示品位の劣化が発生しないことになる。
なお、図１３（ａ）に示されるパターンの変化は、図１２（ａ）に示した例のみならず、黒画素からなるパターンが、図１２（ｂ）に示すように左方向にフレーム毎に１画素ずつ移動する場合や、図１２（ｃ）に示すように下方向にフレーム毎に１画素ずつ移動する場合などでも発生する。また、図３６の説明において見方を変えた場合のように、黒画素からなる領域を背景として白画素からなるパターンがフレーム毎に左下方向、左方向または下方向に、１画素ずつ移動する場合にも発生する。
【００３３】
図９から図１３までの説明から、想定しているＶＡ方式（ノーマリーブラックモード）の液晶において、あるｎフレームに着目したとき、次のような要件を満たす場合に、ｎフレームにおいて次の画素でリバースチルトドメインの影響を受ける、ということができる。すなわち、
（１）ｎフレームに着目したときに暗画素と明画素とが隣接して、すなわち、印加電圧が低い状態の画素と印加電圧が高い状態の画素とが隣接して、横電界が強くなる場合であって、かつ、
（２）ｎフレームにおいて、当該明画素（印加電圧高）が、隣接する暗画素（印加電圧低）に対して、液晶分子におけるチルト方位の上流側に相当する左下側、左側または下側に位置する場合に、
（３）ｎフレームにおいて当該明画素に変化する画素が、１フレーム前の（ｎ−１）フレームでは、液晶分子が不安定な状態にあったとき、
ｎフレームにおいて当該明画素でリバースチルトが発生する、ということになる。
既に理由を説明したが、（２）において、暗画素と明画素とが隣接する部分を示す境界が、前フレームから１画素分だけ移動しているときには、より一層リバースチルトドメインの影響を受けやすくなると考えられる。
【００３４】
ところで、図１０では、２×２の４画素が（ｎ−１）フレームで黒画素であって、次のｎフレームで左下だけが白画素となったときを例示した。しかし、一般的には、（ｎ−１）フレームおよびｎフレームのみならず、これらフレームを含む前後の複数フレームにわたって同様な動きを伴うのが通例である。このため、図１０（ａ）〜（ｃ）に示すように、（ｎ−１）フレームで液晶分子が不安定な状態であった暗画素（白丸点が付された画素）では、画像パターンの動きから、その左下側、左側または下側に明画素が隣接している場合が多いと考えられる。
【００３５】
このため、事前に（ｎ−１）フレームにおいて、映像信号Ｖid-inで示される画像において暗画素と明画素とが隣接し、且つ、その暗画素が、その明画素に対して右上側、右側または上側に位置する場合、その暗画素に相当する液晶素子に対し、液晶分子が不安定な状態とならないような電圧を印加すれば、画像パターンの動きによりｎフレームにおいて要件（１）および要件（２）を満たすことになっても、要件（３）を満たすことはないので、ｎフレームにおいてリバースチルトドメインは発生しない、ということになる。
これを前提として、ｎフレームから（ｎ＋１）フレームにかけて考察する。ｎフレームにおいて、映像信号Ｖid-inで示される画像において暗画素と明画素とが隣接する場合であって、当該暗画素が、当該明画素に対して右上側、右側または上側に位置する場合は、その暗画素に相当する液晶素子の液晶分子が不安定な状態にならないような措置を施してやれば、画像パターンが１画素分移動した結果、（ｎ＋１）フレームにおいて要件（１）および要件（２）を満たすことになっても、要件（３）を満たすことはない。このため、ｎフレームからみて、将来となる（ｎ＋１）フレームにおいてリバースチルトドメインの発生を未然に抑えることができる、ということになる。
【００３６】
次に、ｎフレームにおいて、映像信号Ｖid-inで示される画像において暗画素と明画素とが隣接する場合であって、当該暗画素が当該明画素に対して上記位置関係にある場合に、当該暗画素において液晶分子が不安定な状態にならないようにするには、どうすればよいのか、という点について検討する。上述したように、液晶分子が不安定な状態にあるときとは、液晶素子の印加電圧がＶc1（第３電圧）を下回るときである。このため、上記位置関係を満たす暗画素につき、映像信号Ｖid-inで指定される液晶素子の印加電圧がＶc1を下回るのであれば、これを強制的に、Ｖc1以上の電圧に補正して印加すればよいことになる。
では、補正する電圧としては、どのような値が好ましいのか、という点を検討する。映像信号Ｖid-inで指定される印加電圧がＶc1を下回る場合に、Ｖc1以上の電圧に補正して液晶素子に印加したとき、液晶分子をより安定な状態にさせる、または、リバースチルトドメインの発生をより確実に抑える、という点を優先すれば、高い電圧である方が好ましい。しかしながら、ノーマリーブラックモードでは、液晶素子の印加電圧を高くするにつれて、透過率が高くなる。もともとの映像信号Ｖid-inで指定される階調レベルは、暗画素すなわち低い方の透過率であるため、補正電圧を高くすることは、映像信号Ｖid-inに基づかない画像が表示されることにつながる。
一方、Ｖc1以上に補正した電圧を液晶素子に印加したときに、その補正による透過率の変化が知覚されないようにする、という点を優先すれば、下限である電圧Ｖc1が好ましい、ということになる。このように補正電圧として、どのような値とすべきかについては、何を優先させるのかによって決定すべきである。本実施形態では、補正電圧としてＶc1を採用するが、それよりも高い電圧であっても構わない。
なお、ＶＡ方式における液晶分子は、液晶素子の印加電圧がゼロのときに基板面に対して垂直方向に最も近い状態になるが、電圧Ｖc1は、液晶分子に初期傾斜角を与える程度の電圧であり、この電圧の印加から液晶分子が傾斜し始める。液晶分子が安定状態となる電圧Ｖc1は、一般的には、液晶パネルにおける様々なパラメータが絡んで一概には決まらない。ただし、本実施形態のように、画素電極１１８とコモン電極１０８との間隙（セルギャップ）よりも、画素電極１１８同士の間隙が狭い、という液晶パネルにあっては、おおよそ１．５ボルトとなる。したがって、補正電圧としては、１．５ボルトが下限となるので、この電圧以上であればよい、ということになる。逆にいえば、液晶素子の印加電圧が１．５ボルトを下回るのであれば、液晶分子が不安定な状態となる。
【００３７】
ところで、動きを伴う画像である場合、映像信号Ｖid-inで示される現フレームにおいて境界に接する画素であっても、現フレームよりも１つ前のフレーム（以下、「前フレーム」という。）を含めた動きを考えると、映像信号を補正する必要があるときと、補正する必要がないときとがある。本発明は、現フレームの補正に際し、前のフレームの状態を考慮してリバースチルトドメインの発生を抑制するものである。
このような考えに基づいて、ｎフレームの映像信号Ｖid-inを処理して、液晶パネル１００でリバースチルトドメインの発生を未然に防ぐための回路が、図３における映像処理回路３０である。
【００３８】
次に、映像処理回路３０の詳細について図３を参照して説明する。
図３に示すように、映像処理回路３０は、フレームメモリー３０２、オーバードライブ制御部３０４、動き検出部３０６、遅延回路３０８、ＯＲ回路３１０、リスク境界検出部３１２、前フレーム状態判別部３１４、補正部３１６、Ｄ（Digital）／Ａ（Analog）変換器３１８および遅延回路３２０を備える。
なお、フレームメモリー３０２への映像データの蓄積や読出、遅延回路３０８，３２０の遅延タイミング、動き検出部３０６やリスク境界検出部３１２における映像信号Ｖid-inの蓄積等は、走査制御回路２０によって制御される。
【００３９】
フレームメモリー３０２は、例えば縦ｍ行×横ｎ列の液晶パネル１００の画素配列に対応した記憶領域を有する。フレームメモリー３０２は、映像信号Ｖid-inで示される画像を示す１フレーム分の映像データを記憶するもので、フレームメモリー３０２の各記憶領域は、それぞれに対応する画素１１０の階調レベルを指定する映像データを記憶する。フレームメモリー３０２に記憶される映像データは、オーバードライブ制御部３０４、動き検出部３０６およびリスク境界検出部３１２のぞれぞれで、前フレームの映像信号Ｖid-inを取得するために共用されるものである。
なお、映像データは、上位装置から供給された映像信号Ｖid-inに応じてフレームメモリー３０２の記憶領域に書き込まれる。また、制御回路１０の制御の下、選択信号Ｘctrで選択される走査線に位置する画素１行分の映像データが、フレームメモリー３０２から読み出される。
【００４０】
オーバードライブ制御部３０４は、映像処理回路３０に入力された映像信号Ｖid-inを現フレームおよび前フレームのそれぞれについて解析し、各画素について指定される印加電圧の変化に応じてオーバードライブ駆動を行うための現フレームの映像信号Ｖid-oveを生成して出力する（オーバードライブ制御ステップ）。オーバードライブ駆動は、前フレームの映像信号Ｖid-inによって示される階調レベルよりも現フレームの映像信号Ｖid-inによって示される階調レベルが高い場合に、この階調レベルよりもさらに高い階調レベルに相当する映像信号を出力し、その映像信号に基づいて過大電圧を液晶素子に印加する動作を含む。また、オーバードライブ駆動は、前フレームの映像信号Ｖid-inによって示される階調レベルよりも現フレームの映像信号Ｖid-inによって示される階調レベルが低い場合に、この階調レベルよりもさらに低い階調レベルに相当する映像信号を出力し、その映像信号に基づいて過小電圧を液晶素子に印加する動作を含む。
【００４１】
具体的には、オーバードライブ制御部３０４は、ルックアップテーブルと演算回路とを有している。オーバードライブ制御部３０４は、現フレームの映像信号Ｖid-inを上位装置から取得するとともに、フレームメモリー３０２に記憶された映像データを読み出すことで、前フレームの映像信号Ｖid-inを取得する。そして、オーバードライブ制御部３０４は、ルックアップテーブルに現フレームの映像データＶid-inと前フレームの映像データＶid-inとが入力されたときに、画素の階調レベルの変化に応じた補償値を演算器に供給する。詳細には、ルックアップテーブルは、現フレームの映像信号Ｖid-inで指定される階調レベルと前フレームの映像信号Ｖid-inで指定される階調レベルとの組み合わせの各々に対応して、液晶素子１２０の応答を補償するための補償値を予め記憶したテーブルであって、これら２つのデータで指定される階調レベルの組み合わせに対応する補償値βを出力する二次元変換テーブルである。演算回路は、現フレームの映像データＶid-inに、ルックアップテーブルによって供給された補償値βを加算して、映像信号Ｖid-oveとして出力する。
【００４２】
ここで、オーバードライブ制御部３０４のルックアップテーブルにより供給される補償値βについて図５，６を参照して説明する。ここでは、図５（ａ）の実線で示されるように、ある画素に着目して、映像信号Ｖid-inで指定される現フレームの階調レベルが、前フレームの階調レベルのＧ10から、より明るいＧ11に変化したときを想定する。
この想定において、現フレームの映像信号Ｖid-inに基づいて着目画素の画素電極１１８に、着目画素に対応する走査線を選択することによって印加しても、比較的低応答である液晶層の着目画素（液晶容量）における実際の透過率は、図５（ａ）に二点鎖線で示されるように、該走査線が次に選択されるタイミングまでに、目的とする階調レベルＧ11に応じた透過率に達せず、それよりも手前の透過率となってしまう。
そこで、図５（ｂ）に示されるように、現フレームの映像データＶid-inが指定する階調レベルＧ11を、階調変化方向にやや大きめに過剰に振った値に補正して、着目画素における実際の透過率が、該走査線の次選択のタイミングまでに、階調レベルＧ11に応じた透過率となるように補償する。このときの階調変化方向に過剰に振る値を補償値β1としている。
【００４３】
同様に、映像信号Ｖid-inで指定される現フレームの階調レベルが、前フレームの階調レベルのＧ11から、より暗いＧ10に変化したときを想定する。
この想定において、現フレームの映像信号Ｖid-inに基づいて着目画素の画素電極１１８に、着目画素に対応する走査線を選択することによって印加しても、比較的低応答である液晶層の着目画素（液晶容量）における実際の透過率は、図６（ａ）において二点鎖線で示されるように、該走査線が次に選択されるタイミングまでに、目的とする階調レベルＧ10に応じた透過率に達せず、やはりそれよりも手前の透過率となってしまう。
そこで、図６（ｂ）に示されるように、現フレームの映像信号Ｖid-inが指定する階調レベルＧ10を、階調変化方向にやや大きめに過剰に振った値に補正して、着目画素における実際の透過率が、該走査線の次選択のタイミングまでに、階調レベルＧ10に応じた透過率となるように補償する。このときの階調変化方向に過剰に振る値を補償値β2としている。
なお、ここでは、階調レベルが、Ｇ10からＧ11またはＧ11からＧ10に変化するときについて説明しているが、実際の補償値β1,β2は、前フレームおよび現フレームの映像信号Ｖid-inで指定される階調レベルの組み合わせの各々に対し、予め実験等により求められた値である。この組み合わせの各々に対する補償値βがルックアップテーブルに記憶されている。また、このようなオーバードライブ駆動は、前フレームから現フレームにかけての階調レベルの変化が相対的に大きい場合に行われるものであり、その変化が小さく着目画素（液晶容量）の液晶素子１２０の応答を補償する必要がない場合（つまり、応答の低さが問題とならない場合）には、その画素についてオーバードライブ駆動が行われない。オーバードライブ駆動が行われない画素は、例えば、オーバードライブ駆動を行わなくても、走査線が次に選択されるタイミングまでに、目的とする階調レベルに応じた透過率に達する画素である。
【００４４】
図３に戻って説明する。
動き検出部３０６は、現フレームの映像信号Ｖid-inを取得するとともに、フレームメモリー３０２に記憶された前フレームの映像データを読み出して映像信号Ｖid-inを取得し、階調範囲ａにある暗画素と階調範囲ｂにある明画素とが隣接する境界のうち、前フレームから現フレームにかけて変化した境界（以下、「適用境界」という。）があるか否かを判別する。適用境界は、各画素間において、前フレームでは存在せず、かつ、現フレームにおいて存在する境界と換言される。
動き検出部３０６は、適用境界があると判別したときに、適用境界を検出してその位置を示す境界情報を出力する（第１境界検出ステップ）。すなわち、動き検出部３０６は第１境界検出部として機能する。
なお、動き検出部３０６は、ある程度（少なくとも３行以上）の映像信号を蓄積してからでないと、表示すべき画像における垂直または水平方向にわたって境界を検出することができない。このため、オーバードライブ制御部３０４からの映像信号Ｖid-oveの供給タイミングを調整する意味で、オーバードライブ制御部３０４から補正部３１６に供給される映像信号Ｖid-oveを遅延させる遅延回路３２０が設けられている。
【００４５】
動き検出部３０６のより詳細な構成について図４（ａ）を参照して説明する。
動き検出部３０６は、本実施形態においては、現フレーム検出部３０６２、前フレーム検出部３０６４、保存部３０６６および適用境界決定部３０６８を備える。
現フレーム検出部３０６２は、現フレームの映像信号Ｖid-inで示される画像を解析して、階調範囲ａにある暗画素と階調範囲ｂにある明画素とが隣接する部分があるか否かを判別する。そして、現フレーム検出部３０６２は、隣接する部分があると判別したときに、その隣接部分を境界として検出して、境界情報を出力する。
なお、ここでいう境界とは、あくまでも階調範囲ａにある暗画素と階調範囲ｂにある明画素とが隣接する部分、すなわち、強い横電界が発生する部分をいう。このため、例えば階調範囲ａにある画素と、階調範囲ａでもなく階調範囲ｂでもない別の階調範囲ｄ（図７（ａ）参照）にある画素とが隣接する部分や、階調範囲ｂにある画素と階調範囲ｄにある画素とが隣接する部分については、境界として扱わない。
前フレーム検出部３０６４は、前フレームの映像信号Ｖid-inで示される画像を解析して、階調範囲ａにある画素と階調範囲ｂにある画素とが隣接する部分を境界として検出する。ここで、前フレーム検出部３０６４が検出する境界についての定義は、現フレーム検出部３０６２についてのそれと同じである。
【００４６】
保存部３０６６は、前フレーム検出部３０６４によって検出された境界の情報を保存して１フレーム期間だけ遅延させて出力するものである。
したがって、現フレーム検出部３０６２で検出される境界は現フレームに係るものであるのに対し、前フレーム検出部３０６４で検出されて保存部３０６６に保存される境界は、前フレームに係るものとなる。
適用境界決定部３０６８は、現フレーム検出部３０６２によって検出された現フレーム画像の境界のうち、保存部３０６６に保存された前フレーム画像の境界と同じ部分を除外したものを、適用境界として決定するものである。
【００４７】
再び図３に戻って説明する。
遅延回路３０８は、ＦＩＦＯ（Fast In Fast Out：先入れ先出し）メモリーや多段のラッチ回路などにより構成され、動き検出部３０６から供給される境界情報を蓄積して、所定時間経過後（ここでは、１フレーム期間後）に読み出して出力するものである。
ＯＲ回路３１０は、動き検出部３０６から供給される現フレームの境界情報と、遅延回路３０８から供給される前フレームとの境界情報とを加算して、境界情報mov_edgeとして補正部３１６に出力する。すなわち、ＯＲ回路３１０は、現フレームおよび前フレームの少なくとも一方で、その１フレーム前から変化のあった適用境界を示す境界情報mov_edgeを出力するものである。
【００４８】
リスク境界検出部３１２は、入力された現フレームの映像信号Ｖid-inで指定される暗画素と明画素との境界の一部であって、液晶１０５のチルト方位で定まるリスク境界を検出する（第２境界検出ステップ）。具体的には、リスク境界検出部３１２は、現フレームのＶid-inで示される画像を解析して、階調範囲ａにある暗画素と階調範囲ｂにある明画素とが垂直または水平方向で隣接する部分があるか否かを判別する。そして、リスク境界検出部３１２は、暗画素と明画素との境界の一部分であって、暗画素が上側に位置し明画素が下側に位置する部分と、暗画素が右側に位置し明画素が左側に位置する部分とを抽出して、これをリスク境界として検出する。リスク境界検出部３１２は、リスク境界を示す境界情報rsk_edgeを出力する。すなわち、リスク境界検出部３１２は第２境界検出部として機能する。
【００４９】
前フレーム状態判別部３１４は、フレームメモリー３０２に記憶された前フレームの映像データを読み出して、映像信号Ｖid-inを取得する。そして、前フレーム状態判別部３１４は、フレームメモリー３０２から取得した前フレームの映像信号Ｖid-inで指定される印加電圧が、第１閾値以下であるか否かを判別し、判別結果を示す出力信号vol_sigを出力する。この第１閾値という電圧は、階調レベルＰＸＬＶに対応する印加電圧である。階調レベルＰＸＬＶは、あらかじめ決められた電圧レベルに対応する階調レベルであるが、現フレームの階調範囲ａにある暗画素に対して、印加電圧を低くする方向に振るオーバードライブ駆動が行われることがあるか否かの指標となる値である。つまり、前フレーム状態判別部３１４は、前フレームの映像信号の階調レベルが現フレームにおいてオーバードライブ駆動が行われることがないようなＰＸＬＶ以下である場合には、オーバードライブ駆動が行われないことを示す出力信号vol_sigを出力する。なお、階調レベルＰＸＬＶは例えば階調レベルｃ1と同一であるが、実験等により求められた適切な値に予め決められているとよい。
【００５０】
補正部３１６は、遅延回路３２０から出力された現フレームの映像信号Ｖid-oveにおいて、動き検出部３０６により検出された適用境界のうち、リスク境界検出部３１２により検出されたリスク境界に接する、暗画素および明画素の少なくとも一方の画素に対応する液晶素子１２０への印加電圧を指定する映像信号Ｖid-oveを、オーバードライブ駆動が行われる画素を補正対象から除外して、このリスク境界に接する暗画素および明画素で生じる横電界を低減させるように補正する（補正ステップ）。具体的には、補正部３１６は、適用境界に該当するリスク境界に接し、かつ、オーバードライブ駆動が行われない暗画素について、その暗画素に指定される階調レベルがｃ1よりも暗いレベルである場合に、映像信号Ｖid-oveを階調レベルｃ1の映像信号に補正して、映像信号Ｖid-outとして出力する。一方で、補正部３１６は、それ以外の画素については映像信号を補正することなく、映像信号Ｖid-oveをそのまま映像信号Ｖid-outとして出力する。
【００５１】
次に、補正部３１６のより詳細な構成について図４（ｂ）を参照して説明する。
補正部３１６は、本実施形態においては、判別部３１６２および置換部３１６４を備える。
判別部３１６２は、遅延回路３２０から出力される映像信号Ｖid-oveで示される画素が映像信号を補正条件を満たしているか否かを判別する。判別部３１６２は、その判別結果が「Ｙｅｓ」である場合に出力信号のフラグＱを例えば“１”とし、その判別結果が「Ｎｏ」であれば“０”として出力する。具体的には、判別部３１６２は、（Ｉ）オーバードライブ制御部３０４からの映像信号Ｖid-oveで示される画素が暗画素であり、（II）ＯＲ回路３１０（動き検出部３０６）から出力される境界情報mov_edgeが適用境界であることを示すとともに、（III）リスク境界検出部３１２から出力される境界情報rsk_edgeがリスク境界であることを示し、さらに、（IV）前フレームの映像信号で指定される印加電圧が階調レベルＰＸＬＶに対応する第１閾値以下である（つまり、オーバードライブ駆動が行われない）ことを出力信号vol_sigが示す場合に、着目した画素が補正条件を満たすと判別する。
以上のように、本発明では、（Ｉ）〜（III）に対応し、適用境界に該当するリスク境界に接する画素である、という条件と、（IV）に対応し、オーバードライブ駆動が行われない画素である、という条件という２つに大別される補正条件が存在するが、以下では、前者の条件を「境界補正条件」といい、後者の条件を「ＯＤ補正条件」と称することがある。
【００５２】
置換部３１６４は、判別部３１６２から供給されるフラグＱが“１”であり、すなわち、映像信号Ｖid-oveで示される画素が適用境界に該当するリスク境界に接する暗画素であり、かつ、オーバードライブ駆動が行われない画素である場合に、当該映像信号Ｖid-oveで示される暗画素に指定される階調レベルがｃ1よりも暗いレベルであるとき、その階調レベルをｃ1に置換した上で、映像信号Ｖid-outとして出力する。
一方、置換部３１６４は、映像信号Ｖid-oveで示される画素がリスク境界に接する暗画素でない場合には、フラグＱが“０”となるので、階調レベルをｃ1に置換しないし、フラグＱが“１”の場合でも、階調レベルがｃ1以上の明るいレベルを指定している場合には、階調レベルをｃ1に置換せずに、映像信号Ｖid-oveを映像信号Ｖid-outとして出力する。
【００５３】
Ｄ／Ａ変換器３１８は、デジタルデータである映像信号Ｖid-outを、アナログのデータ信号Ｖxに変換する。なお、本実施形態では面反転方式とし、この場合、データ信号Ｖxの極性は、液晶パネル１００で１コマ分の書き替え毎に切り替えられる。
【００５４】
次に、液晶表示装置１の表示動作について説明すると、上位装置からは映像信号Ｖid-inが、フレームにわたって１行１列〜１行ｎ列、２行１列〜２行ｎ列、３行１列〜３行ｎ列、…、ｍ行１列〜ｍ行ｎ列の画素の順番で、供給される。映像処理回路３０は、映像信号Ｖid-inを遅延・補正等の処理をして映像信号Ｖid-outとして出力する。
ここで、１行１列〜１行ｎ列の映像信号Ｖid-outが出力される水平有効走査期間（Ｈa）でみたときに、処理された映像信号Ｖid-outは、Ｄ／Ａ変換器３１８によって、図８（ｂ）で示すように正極性または負極性のデータ信号Ｖxに変換される。ここでは例えば正極性のデータ信号Ｖxに変換される。このデータ信号Ｖxは、データ線駆動回路１４０によって１〜ｎ列目のデータ線１１４にデータ信号Ｘ1〜Ｘnとしてサンプリングされる。
一方、１行１列〜１行ｎ列の映像信号Ｖid-outが出力される水平走査期間では、走査制御回路２０が走査線駆動回路１３０に対し走査信号Ｙ１だけをＨレベルとなるように制御する。走査信号Ｙ１がＨレベルであれば、１行目のＴＦＴ１１６がオン状態になるので、データ線１１４にサンプリングされたデータ信号は、オン状態にあるＴＦＴ１１６を介して画素電極１１８に印加される。これにより、１行１列〜１行ｎ列の液晶素子には、それぞれ映像信号Ｖid-outで指定された階調レベルに応じた正極性電圧が書き込まれる。
【００５５】
続いて、２行１列〜２行ｎ列の映像信号Ｖid-inは、同様に映像処理回路３０によって処理されて、映像信号Ｖid- outとして出力されるとともに、Ｄ／Ａ変換器３１８によって正極性のデータ信号に変換された上で、データ線駆動回路１４０によって１〜ｎ列目のデータ線１１４にサンプリングされる。
２行１列〜２行ｎ列の映像信号Ｖid-outが出力される水平走査期間では、走査線駆動回路１３０によって走査信号Ｙ２だけがＨレベルとなるので、データ線１１４にサンプリングされたデータ信号は、オン状態にある２行目のＴＦＴ１１６を介して画素電極１１８に印加される。これにより、２行１列〜２行ｎ列の液晶素子には、それぞれ映像信号Ｖid-outで指定された階調レベルに応じた正極性電圧が書き込まれる。
以下同様な書込動作が３、４、…、ｍ行目に対して実行され、これにより、各液晶素子に、映像信号Ｖid-outで指定された階調レベルに応じた電圧が書き込まれて、映像信号Ｖid-inで規定される透過像が作成されることなる。
次のフレームでは、データ信号の極性反転によって映像信号Ｖid-outが負極性のデータ信号に変換される以外、同様な書込動作が実行される。
【００５６】
図８（ｂ）は、映像処理回路３０から、水平走査期間（Ｈ）にわたって１行１列〜１行ｎ列の映像信号Ｖid-outが出力されたときのデータ信号Ｖxの一例を示す電圧波形図である。本実施形態では、ノーマリーブラックモードとしているので、データ信号Ｖxは、正極性であれば、基準電圧Ｖcntに対し、映像処理回路３０によって処理された階調レベルに応じた分だけ高位側の電圧（図において↑で示す）になり、負極性であれば、基準電圧Ｖcntに対し、階調レベルに応じた分だけ低位側の電圧（図において↓で示す）になる。
詳細には、データ信号Ｖxの電圧は、正極性であれば、白に相当する電圧Ｖw(+)から黒に相当する電圧Ｖb(+)までの範囲で、一方、負極性であれば、白に相当する電圧Ｖw(-)から黒に相当する電圧Ｖb(-)までの範囲で、それぞれ基準電圧Ｖcntから階調に応じた分だけ偏位させた電圧となる。
電圧Ｖw(+)および電圧Ｖw(-)は、電圧Ｖcntを中心に互いに対称の関係にある。電圧Ｖb(+)およびＶb(-)についても電圧Ｖcntを中心に互いに対称の関係にある。
なお、図８（ｂ）は、データ信号Ｖxの電圧波形を示すものであって、液晶素子１２０に印加される電圧（画素電極１１８とコモン電極１０８との電位差）とは異なる。また、図８（ｂ）におけるデータ信号の電圧の縦スケールは、図８（ａ）における走査信号等の電圧波形と比較して拡大してある。
【００５７】
映像処理回路３０による補正処理の具体例について説明する。
映像処理回路３０では、上述したように、現フレームの映像信号における各画素が、境界補正条件とＯＤ補正条件との双方を満たしているか否かを判別し、補正対象とする画素を決定している。説明を簡単にするために、まず、境界補正条件に関する具体例を説明する。
前フレームの映像信号Ｖid-inで示される画像が例えば図１４（１）に示されるとおりであって、現フレームの映像信号Ｖid-inで示される画像が例えば図１４（２）に示されるとおりである場合、すなわち、階調範囲ａの暗画素からなるパターンが、階調範囲ｂにある明画素を背景に左方向に移動する場合、前フレーム検出部３０６４により検出されて保存部３０６６に保存される前フレーム画像の境界と、現フレーム検出部３０６２により検出された現フレーム画像の境界とは、それぞれ図１４（３）に示されるとおりである。
したがって、動き検出部３０６によって決定される適用境界は、図１５（４）で示されるとおりである。一方で、リスク境界検出部３１２により現フレームの映像信号Ｖid-oveから検出されるリスク境界は、図１５（５）で示されるとおりである。よって、図１５（６）で示されるように、動き検出部３０６で検出された適用境界のうち、暗画素が上側に位置し明画素が下側に位置する部分と、暗画素が右側に位置し明画素が左側に位置する部分とであるリスク境界に相当する部分に隣接する暗画素が、本実施形態の境界補正条件を満たす。
【００５８】
続いて、ＯＤ補正条件に関する具体例を説明する。
境界補正条件を満たすすべての暗画素がＯＤ補正条件を満たし、さらに、これらの暗画素に対して階調レベルｃ1よりも暗いレベルが指定されていた場合には、図１６（ａ）に示すように、補正部３１６はこれらの暗画素について映像信号Vid-oveを階調レベルｃ1の映像信号Vid-outに補正する。このため、映像信号Ｖid-inで示される画像が、黒画素からなる領域が右上方向、右方向または上方向のいずれかに１画素だけ移動することによって、黒画素から白画素に変化する部分が存在しても、液晶パネル１００では、液晶分子が不安定な状態から白画素へと直接的に変化せず、一旦、階調レベルｃ1に相当する電圧Ｖc1の印加によって強制的に液晶分子が安定した状態を経た後に、白画素に変化する。
なお、図１６（ａ）において、※１で示される暗画素は、左下の一角において縦横に連続するリスク境界が位置しているので、リスク境界に接しているということになり、補正部３１６において階調レベルｃ1よりも暗いレベルが指定されているか否かの判断対象となる。これは、※１で示される暗画素に対し、左下に位置する明画素に相当するパターンが右斜め上方向に１画素移動したときに対処するためである。これに対して、※２で示される暗画素は、その一角において縦または横のみに断裂したリスク境界が位置し、縦横で連続したリスク境界が位置していないので、補正部３１６において階調レベルの判断対象とはならない。なお、この考え方は、チルト方位角θｂに関係なく採用することができる。よって、以下ではその説明を省略する。
【００５９】
ところで、オーバードライブ駆動が行われる暗画素に対しては、図６（ｂ）にβ2で示すように、暗くする方向に映像信号が補正される。一方、リバースチルトドメインを抑制するため（横電界を低減させるため）の補正は、図６（ｂ）に示す矢印ｖ２方向のように明るくする方向に映像信号を補正するものである。このように映像信号の補正方向は相反するから、補正部３１６が、オーバードライブ駆動が行われる暗画素に対して、リバースチルトドメインを抑制する補正をした場合、オーバードライブ駆動の作用を打ち消すことになり、その結果、液晶１０５の応答性の問題から液晶パネル１００の表示品位の低下の原因となってしまう。そこで、補正部３１６は、オーバードライブ駆動が行われる暗画素については、境界補正条件を満たす暗画素に対して横電界を低減させるための補正を行わず、補正対象から除外する。
以上が、本発明においてＯＤ補正条件を考慮している根拠である。
【００６０】
よって、補正部３１６は、図１６（ａ）に「ｃ1」で示したような補正の候補となる暗画素のうち、オーバードライブ制御部３０４の制御に応じてオーバードライブ駆動が行われる暗画素については映像信号Ｖid-oveを補正しない。
ここで、補正部３１６の補正処理について図１７を用いて説明する。図１７は、（ｎ−１）フレームの映像信号Ｖid-oveおよびｎフレームの映像信号Ｖid-oveにおけるある行の一部分の画素列を例示したものであり、図中左右方向（水平方向）に画素が配列される。図１７（ａ）は、ｎフレームの映像信号Ｖid-oveを補正しない場合を例示したものであり、図１７（ｂ）は、ｎフレームの映像信号Ｖid-oveを補正した場合を例示したものである。図１７において、「□」は、補正部３１６で映像信号Ｖid-oveが補正されていない明画素を表し、「■」は、補正部３１６で映像信号Ｖid-oveが補正されていない暗画素を表す。
図１７に示すように、適用境界に該当するリスク境界に接する暗画素Ｐix１〜Ｐix３は、境界補正条件を満たしている。しかしながら、図１７（ｂ）に「ＯＤ駆動」と示した暗画素Ｐix２については、オーバードライブ駆動の対象であり、ＯＤ補正条件を満たさない。暗画素Ｐix２は、液晶１０５の応答速度を引き上げるためにオーバードライブ駆動が行われるのであるから、オーバードライブ駆動を有効にするべく、補正部３１６による補正対象から除外される。
したがって、補正部３１６は、前フレームの映像信号Ｖid-inの階調レベルが階調レベルＰＸＬＶ以下である暗画素はＯＤ補正条件を満たすものとして、境界補正条件を満たす暗画素の階調レベルをｃ1とする（ただし、補正前がｃ1より暗い階調レベルである場合）ように、映像信号Ｖid-outを補正する（「○」で図示）。一方、補正部３１６は、前フレームの映像信号Ｖid-inの階調レベルが階調レベルＰＸＬＶを上回る暗画素はＯＤ補正条件を満たさないものとして、境界補正条件を満たすものであったとしても映像信号Ｖid-outを補正しない（「×」で図示）。よって、図１７に示す例では、補正部３１６は暗画素Ｐix１およびＰix３の映像信号をｃ1に補正するが、Ｐix２の映像信号を補正しない。
なお、ここでは、画素の配列方向が左右方向である場合を説明したが、この配列方向が上下方向であっても斜め方向であっても、オーバードライブ駆動が行われた画素について補正を除外する点について変わりはない。
【００６１】
また、映像処理回路３０は、遅延回路３０８およびＯＲ回路３１０を有しているから、境界補正条件を満たすがＯＤ補正条件を満たさなかった画素については、現フレーム（ｎフレーム）では補正対象から除外されるが、その１フレーム後のフレーム（ｎ＋１フレーム）でもオーバードライブ駆動が行われない場合には、補正対象とする。この内容は、後述する各実施形態でも共通するから、以降、この説明を省略する。
【００６２】
以上のように、本実施形態では、１フレーム分の画像全体ではなく、画素同士における境界およびリスク境界を検出するための処理だけで済むので、２フレーム分以上の画像を解析して動きを検出する構成と比較して、映像処理回路の大規模化や複雑化を抑えることが可能である。さらには、リバースチルトドメインが発生しやすい状態の領域が、黒画素の移動に伴って連続的となることを防止することが可能となる。
また、本実施形態では、映像信号Ｖid-oveで規定される画像のうち、映像信号が補正される画素は、明画素に隣接する暗画素であって、階調レベルｃ1よりも暗い階調レベルが指定された暗画素のうち、当該暗画素に対してチルト方位の下流側に位置する画素のみである。このため、映像信号Ｖid-oveに基づかない表示が発生する部分は、チルト方位角を考慮しないで、明画素に隣接する暗画素であって、階調レベルｃ1よりも暗い階調レベルが指定された暗画素のすべてを一律に補正する構成と比較して、少なく抑えることができる。そして、本実施形態では、オーバードライブ駆動が行われる画素については、横電界を低減させるための補正対象から除外されるので、オーバードライブ駆動による作用が打ち消されることがない。
さらに、本実施形態では、設定値以上の映像信号を一律にクリップしもないので、使用しない電圧範囲を設けることによってコントラスト比に悪影響を与えることもない。また、液晶パネル１００の構造に変更等を加える必要がないので、開口率の低下を招くこともないし、また、構造を工夫しないで既に製作された液晶パネルに適用することも可能である。
【００６３】
＜チルト方位角の他の例＞
上述した実施形態では、ＶＡ方式においてチルト方位角θbが４５度である場合を例にとって説明した。次に、チルト方位角θbが４５度以外の例について説明する。
まず、図１８（ａ）に示すようにチルト方位角θbが２２５度である例について説明する。この例では、自画素および周辺画素において液晶分子が不安定な状態から自己画素だけ明画素に変化したとき、当該自己画素においてリバースチルトは、図１８（ｂ）に示すように、左辺および下辺に沿った内周領域で発生する。なお、この例では、図９に示したチルト方位角θbが４５度である場合の例を１８０度回転させたときと等価である。
チルト方位角θbが２２５度である場合には、チルト方位角θbが４５度である場合にリバースチルトドメインが発生する要件（１）〜（３）のうち、要件（２）を次のように修正する。すなわち、
（２）ｎフレームにおいて、当該明画素（印加電圧高）が、隣接する暗画素（印加電圧低）に対して、液晶分子におけるチルト方位の上流側に相当する右上側、右側または上側に位置する場合に、
と修正する。なお、要件（１）および要件（３）についての変更はない。
したがって、チルト方位角θbが２２５度であれば、ｎフレームにおいて、暗画素と明画素とが隣接する場合であって、当該暗画素が、当該明画素に対して反対に左下側、左側または下側に位置する場合、当該暗画素に相当する液晶素子に対し、液晶分子が不安定な状態とならないような措置を施してやればよい。
このためには、映像処理回路３０における補正部３１６が、動き検出部３０６によって検出された適用境界のうち、暗画素が下側に位置し明画素が上側に位置する部分と、暗画素が左側に位置し明画素が右側に位置する部分のリスク境界に基づいて映像信号を補正するとよい。
チルト方位角θbが２２５度である場合、図１４（２）で示される画像が、オーバードライブ駆動に係る補正条件を満たすときには、図１６（ｃ）に示されるリスク境界に接している黒画素の階調レベルが階調レベルｃ1に補正されることがある。補正部３１６は、ここからオーバードライブ駆動に係る補正条件を満たすか否かで補正対象の暗画素を特定するが、この特定の仕方はすでに説明したとおりである。
【００６４】
次に、図１９（ａ）に示すようにチルト方位角θbが９０度である例について説明する。この例では、自画素および周辺画素において液晶分子が不安定な状態から自己画素だけ明画素に変化したとき、当該自己画素においてリバースチルトは、図１９（ｂ）に示すように、右辺に沿った領域で集中的に発生する。このため、当該自己画素においてリバースチルトドメインは、右辺で発生した幅の分だけ、上辺の右辺寄りおよび下辺の右辺寄りにおいても発生する、という見方もできる。
このため、チルト方位角θbが９０度である場合には、チルト方位角θbが４５度である場合にリバースチルトドメインが発生する要件（１）〜（３）のうち、として、要件（２）を次のように修正する。すなわち、
（２）ｎフレームにおいて、当該明画素（印加電圧高）が、隣接する暗画素（印加電圧低）に対して、液晶分子におけるチルト方位の上流側に相当する左側のみならず、その左側で発生する領域の影響を受ける上側または下側に位置する場合に、
と修正する。なお、要件（１）および要件（３）についての変更はない。したがって、チルト方位角θbが９０度であれば、ｎフレームにおいて、暗画素と明画素とが隣接する場合であって、当該暗画素が、当該明画素に対して反対に右側、下側または上側に位置する場合、当該暗画素に相当する液晶素子に対し、液晶分子が不安定な状態とならないような措置を施してやればよい。
【００６５】
このためには、映像処理回路３０における補正部３１６が、動き検出部３０６によって検出された適用境界のうち、暗画素が右側に位置し明画素が左側に位置する部分と、暗画素が上側に位置し明画素が下側に位置する部分と、暗画素が下側に位置し明画素が上側に位置する部分のリスク境界リスク境界に基づいて映像信号を補正するとよい。
チルト方位角θbが９０度である場合、図１４（２）で示される画像は、オーバードライブ駆動に係る補正条件を満たす場合、図１６（ｂ）に示されるリスク境界に接している黒画素の階調レベルが階調レベルｃ1に補正される対象となる。補正部３１６は、ここからオーバードライブ駆動に係る補正条件を満たすか否かで補正対象の暗画素を特定するが、この特定の仕方はすでに説明したとおりである。
この構成によれば、チルト方位角θbが９０度である場合、映像信号Ｖid-inで規定される画像において黒画素からなる領域が上方向、右上方向、右方向、右下方向または下方向のいずれかに１画素だけ移動することによって、黒画素から白画素に変化する部分が存在しても、液晶パネル１００では、液晶分子が不安定な状態から白画素へと直接的に変化せず、一旦、階調レベルｃ1に相当する電圧Ｖc1の印加によって強制的に液晶分子が安定した状態を経た後に、白画素に変化するので、リバースチルトドメインの発生を抑えることが可能となる。
【００６６】
＜第２実施形態＞
次に、本発明の第２実施形態について説明する。この実施形態でも、ノーマリーブラックモードであることを前提として説明する。このことは、特に断りのない限り、以降の各実施形態でも同じである。また、以下の説明において、第１実施形態と同じ構成については同一の符号を付して表し、その詳細な説明については適宜省略する。上述した第１実施形態では、映像処理回路３０は、境界補正条件を満たす暗画素のみについて階調レベルｃ1に補正していたが、適用境界に該当するリスク境界に接する暗画素から、このリスク境界の反対側へ連続する２以上の予め定められた数の暗画素も階調レベルｃ1に補正する対象とする。
このように、本実施形態の映像処理回路３０が第１実施形態の構成と相違する部分は、補正部３１６において補正対象とする暗画素の数が変更された点にある。
【００６７】
補正部３１６の判別部３１６２は、上述した第１実施形態と同様、（Ｉ）オーバードライブ制御部３０４からの映像信号Ｖid-oveで示される画素が暗画素であり、（II）ＯＲ回路３１０（動き検出部３０６）から出力される境界情報mov_edgeが適用境界であることを示すとともに、（III）リスク境界検出部３１２から出力される境界情報rsk_edgeがリスク境界であることを示し、さらに、（IV）前フレームの映像信号で指定される印加電圧が階調レベルＰＸＬＶに対応する第１閾値以下である（つまり、オーバードライブ駆動が行われない）ことを出力信号vol_sigが示す場合に、着目した画素が補正条件を満たすと判別する。
判別部３１６２は、これらの判別結果がいずれも「Ｙｅｓ」である場合に、出力信号のフラグＱを「１」として出力し、その判別結果がいずれか１つでも「Ｎｏ」であれば「０」として出力する。さらに、この実施形態の判別部３１６２は、「Ｙｅｓ」と判別した場合、適用境界に該当するリスク境界の反対方向へ連続する暗画素であって映像信号Ｖid-oveで示される画素の階調レベルが階調範囲ａに属し、そのリスク境界から当該画素までの距離が（Ｋ＋１）画素以内である暗画素を、境界補正条件を満たすものとして扱う。そして、判別部３１６２は、境界補正条件を満たす暗画素のうち、オーバードライブ駆動が行われない画素（つまり、ＯＤ補正条件を満たす画素）について、フラグＱの値を「１」として出力する。本実施形態では、Ｋ＝１とする。
なお、リスク境界に接するもの以外の画素についても、判別部３１６２は、前フレーム状態判別部３１４の出力信号vol_sigに基づいてＯＤ補正条件を満たすか否かを判別する。
置換部３１６４は、フラグＱが「１」である場合に、暗画素に対して階調レベルｃ1よりも暗いレベルが指定されていたときには、この暗画素について階調レベルｃ1に置換する。
【００６８】
映像処理回路３０による処理の具体例について説明する。
前フレームの映像信号Ｖid-inで示される画像が例えば図１４（１）に示されるとおりであって、現フレームの映像信号Ｖid-inで示される画像が例えば図１４（２）に示されるとおりである場合、θb＝４５度であるとき、境界補正条件を満たす画素は図２０（ａ）に示されるようになる。
【００６９】
補正部３１６は、図２０（ａ）に「ｃ1」で示した暗画素のうち、オーバードライブ制御部３０４の制御に応じてオーバードライブ駆動が行われる暗画素については映像信号Ｖid-oveを補正しない。補正部３１６の補正処理について図２１を用いて説明する。図２１は、図１７に対応し、（ｎ−１）フレームの映像信号Ｖid-oveおよびｎフレームの映像信号Ｖid-oveにおける１行分の画素列を例示したもので、図中左右方向（水平方向）に画素が配列される。図２１（ａ）は、ｎフレームの映像信号を補正していない場合を例示したものであり、図２１（ｂ）は、ｎフレームの映像信号を補正した場合を例示したものである。図２１に示すように、適用境界に該当するリスク境界に接する暗画素Ｐix１〜Ｐix６は、境界補正条件を満たしている。しかしながら、図２１に「ＯＤ駆動」と示した暗画素Ｐix３，Ｐix４，Ｐix６については、オーバードライブ駆動の対象であり、ＯＤ補正条件を満たさない。よって、暗画素Ｐix３，Ｐix４，Ｐix６については補正部３１６の補正対象から除外される。
したがって、図２１に示す例では、補正部３１６は暗画素Ｐix１，Ｐix２，Ｐix５の映像信号をｃ1に補正する（補正前がｃ1より暗い階調レベルである場合のみ）が（「○」で図示）、Ｐix３，Ｐix４，Ｐix６の映像信号を補正しない（「×」で図示）。
【００７０】
また、第１実施形態と同じ考え方により、θb＝９０度である場合、図１４（２）で示される画像で境界補正条件を満たす画素は図２０（ｂ）に示されるとおりである。θb＝２２５度である場合、図１４（２）で示される画像で境界補正条件を満たす画素は図２０（ｃ）に示されるとおりである。
本実施形態によれば、液晶パネル１００が２倍速以上される場合等、液晶素子の応答時間が、表示画面が更新される時間間隔より長くなる場合でも、補正対象とする暗画素群の数を適切に設定することで、上述したリバースチルトドメインに起因する表示上の不具合の発生を事前に回避することが可能となる。また、本実施形態によれば、映像信号の補正による印加電圧の変化を目立たなくすることができる。
この実施形態の構成によれば、上記以外にも第１実施形態と同等の効果を奏する。
【００７１】
＜第３実施形態＞
次に、本発明の第３実施形態について説明する。
この実施形態では、第１実施形態の構成において、境界補正条件を満たす暗画素に代えて、境界補正条件を満たす明画素の映像信号を補正する。この実施形態では、暗画素についての補正は行わない。よって、この実施形態では、上述した「（３）ｎフレームにおいて当該明画素に変化する画素が、１フレーム前の（ｎ−１）フレームでは、液晶分子が不安定な状態」を抑制するために暗画素の階調レベルを上げる代わりに、「（１）ｎフレームに着目したときに暗画素と明画素とが隣接して、すなわち、印加電圧が低い状態の画素と印加電圧が高い状態の画素とが隣接して、横電界が強くなる」という要件に着目して、横電界を抑制する。すなわち、映像処理回路３０は、リスク境界に接する明画素に対応する液晶素子１２０への印加電圧を低くするよう補正することにより、リスク境界を挟んで隣接する明画素および暗画素間に生じる横電界を抑制する。ＯＤ補正条件に関する内容は上述した第１および第２実施形態と共通する。
【００７２】
ところで、オーバードライブ駆動が行われる明画素に対しては、図５（ｂ）にβ1で示すように、明るくする方向に階調レベルが補正される。一方、リバースチルトドメインを抑制するため（横電界を低減させるため）の補正は、図５（ｂ）に示す矢印ｖ１方向のように暗くする方向に映像信号を補正するものである。このように映像信号の補正方向は相反するから、補正部３１６が、オーバードライブ駆動が行われる明画素に対して、リバースチルトドメインを抑制する補正をした場合、オーバードライブ駆動の作用を打ち消すことになり、その結果、液晶１０５の応答性の問題から液晶パネル１００の表示品位の低下の原因となってしまう。そこで、補正部３１６は、オーバードライブ駆動が行われる明画素については、境界補正条件を満たす明画素に対して横電界を低減させるための補正を行わず、補正対象から除外する。
【００７３】
この実施形態の映像処理回路３０が、第１実施形態の構成と相違する部分は、前フレーム状態判別部３１４に係る構成と、補正部３１６に入力される階調レベルと、判別部３１６２の判別内容とが変更された点にある。
前フレーム状態判別部３１４は、フレームメモリー３０２に記憶された前フレームの映像データを読み出して、前フレームの映像信号Ｖid-inを取得する。そして、前フレーム状態判別部３１４は、フレームメモリー３０２から出力された映像信号Ｖid-inで示される画素に対して指定される印加電圧が、第２閾値以上であるか否かを判別し、判別結果を示す出力信号vol_sigを出力する。この第２閾値という電圧は、階調レベルＰＸＨＶに対応する印加電圧である。階調レベルＰＸＨＶは、あらかじめ決められた電圧レベルに対応する階調レベルであるが、現フレームの階調範囲ｂにある明画素に対して、印加電圧を高くする方向に振るオーバードライブ駆動が行われることがあるか否かの指標となる値に決められている。つまり、前フレーム状態判別部３１４は、前フレームの映像信号Ｖid -inの階調レベルが現フレームにおいてオーバードライブ駆動が行われることがないような階調レベルＰＸＨＶ以上である場合には、オーバードライブ駆動が行われないことを示す出力信号vol_sigを出力する。なお、階調レベルＰＸＨＶは例えば階調レベルｃ2と同一であるが、実験等により求められた適切な値に予め決められているとよい。
【００７４】
判別部３１６２は、（Ｉ）オーバードライブ制御部３０４からの映像信号Ｖid-oveで示される画素が明画素であり、（II）ＯＲ回路３１０（動き検出部３０６）から出力される境界情報mov_edgeが適用境界であることを示すとともに、（III）リスク境界検出部３１２から出力される境界情報rsk_edgeがリスク境界であることを示し、さらに、（IV）前フレームの映像信号で指定される印加電圧が階調レベルＰＸＨＶに対応する第２閾値以上である（つまり、オーバードライブ駆動が行われない）ことを出力信号vol_sigが示す場合に、着目した画素が補正条件を満たすと判別する。このうち、（Ｉ）〜（III）が境界補正条件であり、（IV）がＯＤ補正条件である。判別部３１６２は、その判別結果がいずれも「Ｙｅｓ」である場合に、出力信号のフラグＱを例えば「１」として出力し、その判別結果がいずれか１つでも「Ｎｏ」であれば「０」として出力する。
置換部３１６４は、判別部３１６２から供給されるフラグＱが“１”である場合に、フラグＱが「１」であるときの明画素に対して、映像信号Ｖid-oveで指定される明画素の階調レベルｃ2の映像信号に置換して、映像信号Ｖid-outとして出力するものである。階調レベルｃ2は、液晶素子１２０への印加電圧Ｖc2（第４電圧）に対応し、閾値Ｖth2を下回り、且つ閾値Ｖth1以上を上回るいずれかの印加電圧により得られる。ただし、この印加電圧Ｖc2は、補正を施さない場合の明度から１０％以内の変化で収まることが好ましい。
なお、置換部３１６４は、判別部３１６２から供給されるフラグＱが“０”であるときや、フラグＱが「１」であるときの明画素に対して階調レベルｃ2よりも暗いレベルが指定されていたときには、階調レベルを置換することなく、映像信号Ｖid-oveをそのまま映像信号Ｖid-outとして出力する。
【００７５】
映像処理回路３０による処理の具体例について説明する。
現フレームに対し１フレーム前の映像信号Ｖid-inで示される画像が例えば図１４（１）に示されるとおりであって、現フレームの映像信号Ｖid-inで示される画像が例えば図１４（２）に示されるとおりである場合に、θb＝４５度であるとき、境界補正条件を満たす画素は図２２（ａ）に示されるとおりである。
【００７６】
補正部３１６は、図２２（ａ）に「ｃ2」で示したような補正の候補となる明画素のうち、オーバードライブ制御部３０４の制御に応じてオーバードライブ駆動が行われる明画素については映像信号を補正しない。
ここで、補正部３１６の補正処理について図２３を用いて説明する。図２３は、図１７に対応し、（ｎ−１）フレームの映像信号Ｖid-oveおよびｎフレームの映像信号Ｖid-oveにおけるある行の一部分の画素列を例示したものであり、図中左右方向（水平方向）に画素が配列される。図２３（ａ）は、ｎフレームの映像信号Ｖid-oveを補正しない場合を例示したものであり、図２３（ｂ）は、ｎフレームの映像信号Ｖid-oveを補正した場合を例示したものである。図２３に示すように、適用境界に該当するリスク境界に接する明画素Ｐix１〜Ｐix３は、境界補正条件を満たしている。しかしながら、図２３に「ＯＤ駆動」と示した明画素Ｐix１，Ｐix３については、オーバードライブ駆動の対象であり、ＯＤ補正条件を満たさない。明画素Ｐix１，Ｐix３は、液晶の応答速度を引き上げるためにオーバードライブ駆動が行われるのであるから、補正部３１６の補正対象から除外される。
したがって、補正部３１６は、前フレームの映像信号Ｖid-inの階調レベルがＰＸＨＶ以上である明画素をＯＤ補正条件を満たすものとして、境界補正条件を満たす明画素の階調レベルをｃ2とするように、映像信号Ｖid-outを補正する（「○」で図示）。一方、補正部３１６は、前フレームの映像信号Ｖid-inの階調レベルがＰＸＨＶを下回る暗画素はＯＤ補正条件を満たさないものとして、境界補正条件を満たすものであったとしても映像信号Ｖid-outを補正しない（「×」で図示）。よって、図２３に示す例では、補正部３１６は明画素Ｐix２の階調レベルをｃ2に補正するが、Ｐix１，Ｐix３の映像信号を補正しない。
【００７７】
また、第１実施形態と同じ考え方により、θb＝９０度である場合、図１４（２）で示される画像で境界補正条件を満たす画素は図２２（ｂ）に示されるとおりである。θb＝２２５度である場合、図１４（２）で示される画像で境界補正条件を満たす画素は図２２（ｃ）に示されるとおりである。
これにより、リスク境界を挟んで隣接する明画素と暗画素との電位差が小さく抑制されて横電界が低減されるので、横電界を原因とするリバースチルトドメインの発生が抑制されるし、それ以外にも、上述した第１実施形態の構成と同等の効果を奏する。
【００７８】
＜第４実施形態＞
次に、本発明の第４実施形態について説明する。
上述した第３実施形態では、映像処理回路３０は、境界補正条件を満たす明画素のみについて階調レベルｃ2に補正していたが、リスク境界に接する明画素からこのリスク境界の反対側へ連続する２以上の予め定められた数の明画素も階調レベルｃ2に補正する対象とする。
このように、本実施形態の映像処理回路３０が第３実施形態の構成と相違する部分は、補正部３１６において補正対象とする明画素の数が変更された点にある。
なお、この実施形態においても暗画素についての補正は行わないものとする。
【００７９】
補正部３１６において、判別部３１６２は、上述した第３実施形態と同様、（Ｉ）オーバードライブ制御部３０４からの映像信号Ｖid-oveで示される画素が明画素であり、（II）ＯＲ回路３１０（動き検出部３０６）から出力される境界情報mov_edgeが適用境界であることを示すとともに、（III）リスク境界検出部３１２から出力される境界情報rsk_edgeがリスク境界であることを示し、さらに、（IV）前フレームの映像信号で指定される印加電圧が階調レベルＰＸＨＶに対応する第２閾値以上である（つまり、オーバードライブ駆動が行われない）ことを出力信号vol_sigが示す場合に、着目した画素が補正条件を満たすと判別する。
判別部３１６２は、これらの判別結果がいずれも「Ｙｅｓ」である場合に、出力信号のフラグＱを「１」として出力し、その判別結果がいずれか１つでも「Ｎｏ」であれば「０」として出力する。さらに、判別部３１６２は、「Ｙｅｓ」と判別した場合、適用境界に該当するリスク境界の反対方向へ連続する明画素であって映像信号Ｖid-oveで示される画素の階調レベルが階調範囲ｂに属し、そのリスク境界から当該画素までの距離が（Ｋ＋１）画素以内である明画素を、境界補正条件を満たすものとして扱う。そして、判別部３１６２は、境界補正条件を満たす明画素のうち、オーバードライブ駆動が行われない画素（つまり、ＯＤ補正条件を満たす画素）について、フラグＱの値を「１」として出力する。本実施形態では、Ｋ＝１とする。
なお、リスク境界に接するもの以外の画素についても、判別部３１６２は前フレーム状態判別部３１４の出力信号vol_sigに基づいてＯＤ補正条件を満たすか否かを判別する。
置換部３１６４は、フラグＱが「１」である場合に、明画素について階調レベルｃ2に置換する。
【００８０】
映像処理回路３０による処理の具体例について説明する。
現フレームに対し１フレーム前の映像信号Ｖid-inで示される画像が例えば図１４（１）に示されるとおりであって、現フレームの映像信号Ｖid-inで示される画像が例えば図１４（２）に示されるとおりである場合、θb＝４５度であるとき、境界補正条件を満たす画素は図２４（ａ）に示されるように表される。
【００８１】
補正部３１６は、図２４（ａ）に「ｃ2」で示したような補正の候補となる明画素のうち、オーバードライブ制御部３０４の制御に応じてオーバードライブ駆動が行われる明画素については映像信号Ｖid-oveを補正しない。補正部３１６の補正処理について図２５を用いて説明する。図２５は、図１７に対応し、（ｎ−１）フレームの映像信号Ｖid-oveおよびｎフレームの映像信号Ｖid-oveにおける１行分の画素列を例示したもので、図中左右方向（水平方向）に画素が配列される。図２５（ａ）は、ｎフレームの映像信号Ｖid-oveを補正していない場合を例示したものであり、図２５（ｂ）は、ｎフレームの映像信号Ｖid-oveを補正した場合を例示したものである。図２５に示すように、適用境界に該当するリスク境界に接する明画素Ｐix１〜Ｐix６は、境界補正条件を満たしている。しかしながら、図２５に「ＯＤ駆動」と示した明画素Ｐix２，Ｐix５，Ｐix６については、オーバードライブ駆動の対象であり、ＯＤ補正条件を満たさない。よって、明画素Ｐix２，Ｐix５，Ｐix６については補正部３１６の補正対象から除外される。
したがって、図２５に示す例では、補正部３１６は明画素Ｐix１，Ｐix３，Ｐix４の映像信号をｃ2に補正するが（「○」で図示）、Ｐix２，Ｐix５，Ｐix６の映像信号を補正しない（「×」で図示）。
【００８２】
また、第１実施形態と同じ考え方により、θb＝９０度である場合、図１４（２）で示される画像で境界補正条件を満たす画素は図２４（ｂ）に示されるとおりである。θb＝２２５度である場合、図１４（２）で示される画像で境界補正条件を満たす画素は図２４（ｃ）に示されるとおりである。
このように、液晶素子１２０のチルト方位によって定まる暗画素を補正対象としているので、本来の画像からの変化を抑制しつつ、リバースチルトドメインの発生を抑制し得る。また、液晶素子の応答時間が、表示画面が更新される時間間隔より長い場合でも、リバースチルトドメインの発生を抑えることが可能となる点では、上述の第２実施形態の構成と同等の効果を奏する。
【００８３】
＜第５実施形態＞
次に、本発明の第５実施形態について説明する。
以下の説明において、第１実施形態と同じ構成については同一の符号を付して表し、その説明については適宜省略する。この実施形態では、第１実施形態で説明した暗画素の補正と、第３実施形態で説明した明画素の補正との両方を行う。つまり、この実施形態の映像処理回路３０は、上記（１）および（３）の条件を満たさないようにするために映像信号を補正する。
【００８４】
図２６は、この実施形態に係る映像処理回路３０の構成を示すブロック図である。映像処理回路３０が上述の第１実施形態の映像処理回路３０と相違する部分は、算出部３２２が追加された点、前フレーム状態判別部３１４に係る構成、および判別部３１６２の判別内容が変更された点にある。
詳細には、ノーマリーブラックモードを例にとると、算出部３２２は、映像信号Ｖid-oveで示される画素がリスク境界に接している場合に、第１に、その画素が暗画素であれば、その暗画素について階調レベルｃ1を算出して出力し、第２に、その画素が明画素であれば、その明画素について階調レベルｃ2を算出して出力する。
補正部３１６において、判別部３１６２は、具体的には、判別部３１６２は、（Ｉ）オーバードライブ制御部３０４からの映像信号Ｖid-oveで示される画素が明画素または暗画素であり、（II）ＯＲ回路３１０（動き検出部３０６）から出力される境界情報mov_edgeが適用境界であることを示すとともに、（III）リスク境界検出部３１２から出力される境界情報rsk_edgeがリスク境界であることを示し、さらに、（IV）前フレームの映像信号で指定される印加電圧がオーバードライブ駆動が行われないことを出力信号vol_sigが示す場合に、着目した画素が補正条件を満たすと判別する。判別部３１６２は、これらの判別結果がいずれも「Ｙｅｓ」である場合に、出力信号のフラグＱを「１」として出力し、その判別結果がいずれか１つでも「Ｎｏ」であれば「０」として出力する。このうち、（Ｉ）〜（III）が境界補正条件であり、（IV）がＯＤ補正条件である。
【００８５】
前フレーム状態判別部３１４は、フレームメモリー３０２に記憶された前フレームの映像データを読み出して、映像信号Ｖid-inを取得する。そして、前フレーム状態判別部３１４は、現フレームの映像信号Ｖid-oveで示される画素が暗画素であれば、フレームメモリー３０２から出力された前フレームの映像信号Ｖid-inで示される画素の階調レベルがＰＸＬＶ以下（印加電圧が第１閾値以下）であるか否かを判別する。一方、前フレーム状態判別部３１４は、現フレームの映像信号Ｖid-oveで示される画素が明画素であれば、フレームメモリー３０２から出力された前フレームの映像信号Ｖid-inで示される画素の階調レベルがＰＸＨＶ以上（印加電圧が第２閾値以上）であるか否かを判別する。前フレーム状態判別部３１４は、判別結果が「Ｙｅｓ」である場合には、オーバードライブ駆動が行われることを示す出力信号vol_sigを出力する。この実施形態においても、この出力信号vol_sigを基に、ＯＤ補正条件を満たすか否かが判別部３１６２で判別される。
【００８６】
置換部３１６４は、判別部３１６２から出力されるフラグＱが「１」あれば、映像信号Ｖid-oveの暗画素または明画素を算出部３２２から出力される階調レベルに置換し、これを映像信号Ｖid-outとして出力する。すなわち、補正部３１６は、フラグＱが「１」であるときの暗画素の階調レベルがｃ1を下回る場合、映像信号Ｖid-oveを算出部３２２から出力される階調レベルｃ1に補正し、これを映像信号Ｖid-outとして出力する。また、補正部３１６は、フラグＱが「１」であるときの明画素の映像信号Ｖid-oveを算出部３２２から出力される階調レベルｃ2に補正し、これを映像信号Ｖid-outとして出力する。
【００８７】
映像処理回路３０による処理の具体例について説明する。
現フレームに対し１フレーム前の映像信号Ｖid-inで示される画像が例えば図１４（１）に示されるとおりであって、現フレームの映像信号Ｖid-inで示される画像が例えば図１４（２）に示されるとおりである場合、θb＝４５度であるとき、境界補正条件を満たす画素は図２７（ａ）に示されるように表される。
【００８８】
補正部３１６は、図２７（ａ）に「ｃ1」で示したような補正の候補となる暗画素のうち、オーバードライブ制御部３０４の制御に応じてオーバードライブ駆動が行われる暗画素、また、図２７（ａ）に「ｃ2」で示したような補正の候補となる明画素のうち、オーバードライブ制御部３０４の制御に応じてオーバードライブ駆動が行われる明画素については。映像信号Ｖid-oveを補正しない。
ここで、補正部３１６の補正処理について図２８を用いて説明する。図２８は、図１７に対応し、（ｎ−１）フレームの映像信号Ｖid-oveおよびｎフレームの映像信号Ｖid-oveにおけるある行の一部分の画素列を例示したものであり、図中左右方向（水平方向）に画素が配列される。図２８（ａ）は、ｎフレームの映像信号Ｖid-oveを補正しない場合を例示したものであり、図２８（ｂ）は、ｎフレームの映像信号Ｖid-oveを補正した場合を例示したものである。図２８に示すように、適用境界に該当するリスク境界に接する暗画素および明画素Ｐix１〜Ｐはix６、境界補正条件を満たしている。しかしながら、図２８に「ＯＤ駆動」と示した明画素Ｐix１，Ｐix５および暗画素Ｐix４については、オーバードライブ駆動の対象であり、ＯＤ補正条件を満たさない。
したがって、補正部３１６は、明画素Ｐix１，Ｐix５および暗画素Ｐix4については、横電界を低減させるための映像信号の補正をしないで（「×」で図示）、それ以外の画素については横電界を低減させるための映像信号の補正をする（「○」で図示）。
【００８９】
また、第１実施形態と同じ考え方により、θb＝９０度である場合、図１４（２）で示される画像で境界補正条件を満たす画素は図２７（ｂ）に示されるとおりである。θb＝２２５度である場合、図１４（２）で示される画像で境界補正条件を満たす画素は図２７（ｃ）に示されるとおりである。
この実施形態によれば、上述の第１および３実施形態の両方と同等の効果を奏するとともに、リスク境界を挟んで隣接する明画素および暗画素間に生じる横電界をさらに抑制して、リバースチルトドメインの発生をより一層抑制することができる。
【００９０】
＜第６実施形態＞
次に、本発明の第６実施形態について説明する。
上述した第５実施形態では、映像処理回路３０は、境界補正条件を満たす暗画素および明画素のみについて階調レベルｃ1,ｃ2に補正していたが、リスク境界に接する暗画素／明画素からこのリスク境界の反対側へ連続する２以上の予め定められた数の暗画素／明画素も映像信号を補正する対象とする。
以下の説明において、第５実施形態と同じ構成については同一の符号を付して表し、その説明については適宜省略する。この実施形態の映像処理回路３０が、上述の第５実施形態の映像処理回路３０と相違する部分は、算出部３２２の算出内容、および判別部３１６２の判別内容が変更された点にある。
【００９１】
補正部３１６において、判別部３１６２は、（Ｉ）オーバードライブ制御部３０４からの映像信号Ｖid-oveで示される画素が明画素または暗画素であり、（II）ＯＲ回路３１０（動き検出部３０６）から出力される境界情報mov_edgeが適用境界であることを示すとともに、（III）リスク境界検出部３１２から出力される境界情報rsk_edgeがリスク境界であることを示し、さらに、（IV）前フレームの映像信号で指定される印加電圧がオーバードライブ駆動が行われないことを出力信号vol_sigが示す場合に、着目した画素が補正条件を満たすと判別する。
判別部３１６２は、これらの判別結果がいずれも「Ｙｅｓ」である場合に、出力信号のフラグＱを「１」として出力し、その判別結果がいずれか１つでも「Ｎｏ」であれば「０」として出力する。さらに、判別部３１６２は、「Ｙｅｓ」と判別した場合、適用境界に該当するリスク境界の反対方向へ連続する暗画素／明画素であって映像信号Ｖid-oveで示される画素の階調レベルが階調範囲ａ／ｂに属し、そのリスク境界から当該画素までの距離が（Ｋ＋１）画素以内である暗画素／明画素を、境界補正条件を満たすものとして扱う。そして、判別部３１６２は、境界補正条件を満たす暗画素／明画素のうち、オーバードライブ駆動が行われない画素（つまり、ＯＤ補正条件を満たす画素）について、フラグＱの値を「１」として出力する。本実施形態では、Ｋ＝１とする。
置換部３１６４は、フラグＱが「１」である場合に、映像信号Ｖid-oveで暗画素に対して階調レベルｃ1よりも暗いレベルが指定されていたときには、この暗画素について算出部３２２から出力される階調レベルｃ1に置換し、これを映像信号Ｖid-outとして出力する。また、置換部３１６４は、フラグＱが「１」である場合に、映像信号Ｖid-oveで明画素に対して算出部３２２から出力される階調レベルｃ2に置換し、これを映像信号Ｖid-outとして出力する。
【００９２】
映像処理回路３０による処理の具体例について説明する。
現フレームに対し１フレーム前の映像信号Ｖid-inで示される画像が例えば図１４（１）に示されるとおりであって、現フレームの映像信号Ｖid-inで示される画像が例えば図１４（２）に示されるとおりである場合、θb＝４５度であるとき、境界補正条件を満たす画素は図２９（ａ）に示されるように表される。
【００９３】
そして、補正部３１６は、図２９（ａ）で示される補正候補となる暗画素および明画素のうち、オーバードライブ制御部３０４の制御に応じてオーバードライブ駆動が行われる画素については、映像信号Ｖid-oveを補正しない。補正部３１６の補正処理について図３０を用いて説明する。図３０は、図１７に対応し、（ｎ−１）フレームの映像信号Ｖid-oveおよびｎフレームの映像信号Ｖid-oveにおける１行分の画素列を例示したもので、図中左右方向に画素が配列される。図３０（ａ）は、ｎフレームの映像信号Ｖid-oveを補正していない場合を例示したものであり、図３０（ｂ）は、ｎフレームの映像信号Ｖid-oveを補正した場合を例示したものである。図３０に示すように、適用境界に該当するリスク境界に接する暗画素および明画素のうちＰix１〜Ｐix１２と示したものが、境界補正条件を満たしている。しかしながら、図３０に「ＯＤ駆動」と示した明画素Ｐix２，Ｐix９，Ｐix１０および暗画素Ｐix７，Ｐix８，Ｐix１２についてはオーバードライブ駆動の対象となっている。そこで、補正部３１６は、明画素Ｐix２，Ｐix９，Ｐix１０および暗画素Ｐix７，Ｐix８，Ｐix１２については横電界を低減させるための映像信号の補正をしないで（「×」で図示）、それ以外の画素については横電界を低減させるための映像信号の補正をする（「○」で図示）。
【００９４】
また、第１実施形態と同じ考え方により、θb＝９０度である場合、図１４（２）で示される画像で境界補正条件を満たす画素は図２９（ｂ）に示されるとおりである。θb＝２２５度である場合、図１４（２）で示される画像で境界補正条件を満たす画素は図２９（ｃ）に示されるとおりである。このように、液晶素子１２０のチルト方位によって定まる画素を補正対象としているので、本来の画像からの変化を抑制しつつ、リバースチルトドメインの発生を抑制し得る。
この実施形態の構成によれば、第５実施形態と同等の効果を奏するとともに、第２および第４実施形態と同じ理由により、液晶素子の応答時間が、表示画面が更新される時間間隔より長い場合でも、リバースチルトドメインの発生を抑えることが可能となる。
【００９５】
＜第７実施形態＞
次に、本発明の第７実施形態について説明する。
以下の説明において、第６実施形態と同じ構成については同一の符号を付して表し、その説明については適宜省略する。この実施形態の映像処理回路３０が、上述の第６実施形態の映像処理回路３０と相違する部分は、動き検出部３０６の検出内容が変更された点にある。
上述した第６実施形態では、適用境界に該当するリスク境界を挟んで互いに隣接する複数の明画素および複数の暗画素について映像信号を補正していた。これに対し、この実施形態では、動き検出部３０６は、現フレームにおいて暗画素と明画素とが隣接する境界を検出し、該検出した境界のうち、１フレーム前の境界から１画素分だけ移動したものを適用境界として決定する。図３６を用いて既に説明したように、液晶パネル１００が、映像信号Ｖid-inの供給速度と等倍速で駆動される場合において、明画素を背景とした暗画素の領域がフレーム毎に２画素以上ずつ移動するときに、このような尾引き現象は顕在化しない（または、視認されにくい）。そこで、補正部３１６は、このような１画素分だけ移動したリスク境界の隣接画素が補正対象とする。そのために、動き検出部３０６は、現フレームの映像信号Ｖid-inで示される画像の境界のうち、前フレームの映像信号Ｖid-inで示される画像の境界から１画素分移動した境界を適用境界として検出し、前フレームから移動していない境界、および、２画素以上移動した境界を、適用境界として検出しない。これにより、補正部３１６は、リバースチルトドメインがより発生しやすい箇所に絞り込んで補正部３１６が補正することができる。これにより、映像信号の変更を更に抑えつつリバースチルトドメインの発生を効果的に抑えることができる。
なお、動き検出部３０６は上述した第６実施形態と同じように動作し、補正部３１６が画素分だけ移動したリスク境界の隣接画素を特定してもよい。
【００９６】
補正部３１６は、図２９（ａ）で示される補正候補となる暗画素および明画素のうち、１フレーム前の境界から１画素分だけ移動したものを適用境界に接しない画素や、オーバードライブ制御部３０４の制御に応じてオーバードライブ駆動が行われる画素については、映像信号Ｖid-oveを補正しない。補正部３１６の補正処理について図３１を用いて説明する。図３１は、図１７に対応し、（ｎ−１）フレームの映像信号Ｖid-oveおよびｎフレームの映像信号Ｖid-oveにおける１行分の画素列を例示したもので、図中左右方向に画素が配列される。図３１（ａ）は、ｎフレームの映像信号Ｖid-oveを補正していない場合を例示したものであり、図３１（ｂ）は、ｎフレームの映像信号Ｖid-oveを補正した場合を例示したものである。図３１に示すように、適用境界に該当するリスク境界に接する暗画素および明画素のうち、Ｐix１〜Ｐix４は、１画素分だけ移動したリスク境界に接することを含んだ境界補正条件を満たしている。そして、図３１に「ＯＤ駆動」と示した明画素Ｐix２については、オーバードライブ駆動の対象であり、ＯＤ補正条件を満たさない。そこで、補正部３１６は、明画素Ｐix２については横電界を低減させるための映像信号の補正をしないで（「×」で図示）それ以外の明画素Ｐix１および暗画素Ｐix３，Ｐix４の映像信号を補正する。
なお、この実施形態の構成においても、上述した第６実施形態と同等の効果を奏する。また、１画素分だけ移動した境界のみを適用境界とする構成は、上述した第１〜第５実施形態の構成にも適用可能である。
【００９７】
＜変形例＞
（変形例１）ＴＮ方式
上述した実施形態では、液晶１０５にＶＡ方式を用いた例について説明した。そこで次に、液晶１０５にＴＮ方式とした例について説明する。
図３２（ａ）は、液晶パネル１００における２×２の画素を示す図であり、図３２（ｂ）は、図３２（ａ）におけるｐ−ｑ線を含む垂直面で破断したときの簡易断面図である。
これらの図に示すように、ＴＮ方式の液晶分子は、画素電極１１８とコモン電極１０８との電位差がゼロである状態において、チルト角がθaであって、チルト方位角がθb（＝４５度）で、初期配向しているものとする。ＴＮ方式は、ＶＡ方式とは反対に、基板水平方向に傾斜するので、ＴＮ方式のチルト角θaは、ＶＡ方式の値よりも大きい。
【００９８】
液晶１０５にＴＮ方式を用いた例では、高コントラスト比などが得られる等の理由により、電圧無印加時において液晶素子１２０が白状態となるノーマリーホワイトモードが用いられる場合が多い。
このため、液晶１０５にＴＮ方式を用いるとともに、ノーマリーホワイトモードとしたとき、液晶素子１２０の印加電圧と透過率との関係は、図７（ｂ）に示されるようなＶ−Ｔ特性で表され、印加電圧が高くなるにつれて透過率が減少する。ただし、液晶素子１２０の印加電圧が電圧Ｖc1を下回るときに、液晶分子が不安定状態となる点においては、ノーマリーブラックモードと変わりはない。
【００９９】
このようなＴＮ方式のノーマリーホワイトモードにおいて、図３３（ａ）に示すように、（ｎ−１）フレームにおいて２×２の４画素がすべて液晶分子の不安定な白画素の状態から、ｎフレームにおいて、右上の１画素だけが黒画素に変化するときを想定する。上述したようにノーマリーホワイトモードにおいて、画素電極１１８とコモン電極１０８との電位差は、ノーマリーブラックモードとは反対に白画素よりも黒画素で大きい。このため、白から黒に変化する右上の画素では、図３３（ｂ）のように、液晶分子が実線で示される状態から破線で示される状態に、電界方向に沿った方向（基板面の垂直方向）に起立しようとする。
しかしながら、白画素の画素電極１１８（Ｗt）と黒画素の画素電極１１８（Ｂk）との間隙で生じる電位差は、黒画素の画素電極１１８（Ｂk）とコモン電極１０８との間で生じる電位差と同程度である上に、画素電極同士の間隙が画素電極１１８とコモン電極１０８との間隙よりも狭い。よって、電界の強度で比較すると、画素電極１１８（Ｗt）と画素電極１１８（Ｂk）との間隙で生じる横電界は、画素電極１１８（Ｂk）とコモン電極１０８との間隙で生じる縦電界よりも強い。
右上の画素は、（ｎ−１）フレームにおいて液晶分子が不安定な状態の白画素であっため、液晶分子が縦電界の強度に応じて傾斜するまでに時間がかかる。一方、黒レベルの電圧が画素電極１１８（Ｂk）に印加されたことによる縦電界よりも、隣接する画素電極１１８（Ｗt）からの横電界の方が強いので、黒になろうとしている画素では、図３１（ｂ）に示すように、白画素に隣接する側の液晶分子Ｒvが、縦電界にしたがって傾斜しようとする他の液晶分子よりも時間的に先んじてリバースチルト状態となる。
先にリバースチルト状態となった液晶分子Ｒvは、縦電界にしたがって破線のように基板水平方向に起立しようとする他の液晶分子の動きに悪影響を与える。このため、黒に変化すべき画素においてリバースチルトが発生する領域は、図３３（ｃ）に示すように、黒に変化すべき画素と白画素との間隙にとどまらず、その間隙から黒に変化すべき画素を浸食する形で広範囲に拡がる。
したがって、図３３に示した内容から、黒に変化しようとする着目画素の周辺が白画素であった場合、当該着目画素に対して白画素が左下側、左側および下側で隣接するとき、当該着目画素では、リバースチルトが左辺および下辺に沿った内周領域にて発生することになる。
【０１００】
一方、図３４（ａ）に示すように、（ｎ−１）フレームにおいて２×２の４画素がすべて液晶分子の不安定な白画素の状態から、ｎフレームにおいて、左下の１画素だけが黒画素に変化するときを想定する。この変化においても、黒画素の画素電極１１８（Ｂk）と白画素の画素電極１１８（Ｗt）との間隙では、画素電極１１８（Ｂk）とコモン電極１０８との間隙の縦電界よりも強い横電界が発生する。この横電界によって、図３４（ｂ）に示すように、白画素において黒画素に隣接する側の液晶分子Ｒvは、縦電界にしたがって傾斜しようとする他の液晶分子よりも時間的に先んじて配向が変化して、リバースチルト状態となるが、白画素では縦電界の強度が（ｎ−１）フレームから変わらないので、他の液晶分子に影響をほとんど与えない。このため、白画素から変化しない画素においてリバースチルトが発生する領域は、図３４（ｃ）に示すように、図３３（ｃ）の例と比較して無視できる程度に狭い。
一方、２×２の４画素のうち、左下において白から黒に変化する画素では、液晶分子の初期配向方向が横電界の影響を受けにくい方向であるので、縦電界が加わっても、リバースチルト状態となる液晶分子がほとんど存在しない。このため、左下画素では、縦電界の強度が大きくなるにつれて、液晶分子が基板面の垂直方向に図３２（ｂ）において破線で示すように正しく起立する結果、目的である黒画素に変化するので、表示品位の劣化が発生しないことになる。
【０１０１】
このため、ＴＮ方式においてチルト方位角θbが４５度であるノーマリーホワイトモードの場合、要件（１）をそのままに、
（２）ｎフレームにおいて、当該暗画素（印加電圧高）が、隣接する明画素（印加電圧低）に対して右上側、右側または上側に位置する場合に、
（３）ｎフレームにおいて当該暗画素に変化する画素は、１フレーム前の（ｎ−１）フレームでは、液晶分子が不安定な状態にあったとき
ｎフレームにおいて当該暗画素でリバースチルトが発生する、ということになる。
したがって、この発生状態を、（ｎ＋１）フレームを基準として考え直した場合、画像の動きによって、（ｎ＋１）フレームにおいて暗画素が上記位置関係を満たすことになっても、変化前のｎフレームにおいて、当該画素の液晶分子が不安定な状態にならないような措置を施してやればよい、ということになる。
ノーマリーホワイトモードでは、ノーマリーブラックモードとは反対に、階調レベルが高い（明るい）ほど、液晶素子の印加電圧が低くなる点を考慮すれば、映像処理回路３０の構成を、次のように変更すればよいことになる。
すなわち、ｎフレームにおいて、映像処理回路３０におけるリスク境界検出部３１２が、暗画素が下側に位置し明画素が上側に位置する部分と、暗画素が左側に位置し明画素が右側に位置する部分と、を抽出して、リスク境界として検出する構成であればよい。補正部３１６がこのリスク境界に基づいて映像信号を補正する画素については、上述の第１〜第７実施形態で説明したとおりである。
なお、この例では、ＴＮ方式においてチルト方位角θbを４５度とした例を説明したが、リバースチルトドメインの発生方向がＶＡ方式と逆になる点を考慮すれば、チルト方位角θbが４５度以外の角度である場合の措置、そのための構成についても、いままでの説明から容易に類推できるはずである。
【０１０２】
このように画像パターンの動き方向として水平方向のみを想定すれば、垂直方向や斜め方向についても想定する構成と比較して、構成の簡易化を図ることが可能となる。
なお、ここではＶＡ方式であってチルト方位角θbを４５度とした場合を例にとって説明したが、ＶＡ方式であってチルト方位角θbを２２５度とした場合についても同様である。
【０１０３】
（変形例２）オーバードライブ駆動の対象である画素の判別
上述した実施形態において、映像処理回路３０は、暗画素について前フレームの映像信号Ｖid-inの階調レベルがＰＸＬＶ以下である場合にオーバードライブ駆動が行われないと判別し、また、明画素について前フレームの映像信号Ｖid-inの階調レベルがＰＸＨＶ以上である場合にオーバードライブ駆動が行われないと判別していた。これに代えて、以下のようにしてオーバードライブ駆動の対象である画素を判別してもよい。
補正部３１６は、オーバードライブ制御部３０４により出力された前フレームの映像信号Ｖid-oveにより指定される印加電圧（映像信号で指定される階調レベルと換言される。）に基づいて、オーバードライブ駆動が行われる明画素や暗画素を判別してもよい。この場合も、上述の実施形態と同様、補正部３１６は、暗画素については前フレームの映像信号Ｖid-oveで指定される液晶素子の印加電圧が第１閾値以下である場合に、オーバードライブ駆動の対象である画素と判別し、明画素については前フレームの映像信号Ｖid-oveで指定される液晶素子の印加電圧が第２閾値以上である場合に、オーバードライブ駆動の対象である画素と判別するとよい。第１，２閾値の印加電圧に対応する映像信号の階調レベルは、上述した階調レベルＰＸＬＸ，ＰＸＨＶとは異なるものであってよい。また、補正部３１６は、前フレームよりもさらに前のフレームの映像信号を用いて、オーバードライブ駆動の有無を判別してもよい。
本発明においては、オーバードライブ駆動の対象である画素を除外して横電界を抑えるための補正をすればよいから、その画素の判別方法は前掲の方法に限定されない。
【０１０４】
（変形例３）境界検出に用いる映像信号
上述した実施形態において、動き検出部３０６やリスク境界検出部３１２は、オーバードライブ制御部３０４により出力された映像信号Ｖid-oveに基づいて所定の境界を検出していたが、オーバードライブ制御後ではなく、映像処理回路３０に入力された映像信号Ｖid-inを用いて検出してもよい。この場合、映像処理回路３０にあっては、映像信号Ｖid-oveが適用境界やリスク境界の検出には用いられないことになる。
【０１０５】
（変形例４）他の変形例
上述した実施形態において、映像処理回路３０は遅延回路３０８およびＯＲ回路３１０を有していたが、これは現フレーム（ｎフレーム）のほか、それ以降のフレーム（ｎ＋１フレーム以降）にわたって同一箇所で横電界を低減させないための補正を加えるためのものである。一方で、本発明においてこれらに相当する構成は必須でないので、省略して構わない。
上述した各実施形態において、映像信号Ｖid-inは、画素の階調レベルを指定するものとしたが、液晶素子の印加電圧を直接的に指定するものとしてもよい。映像信号Ｖid-inが液晶素子の印加電圧を指定する場合、指定される印加電圧によって境界を判別して、電圧を補正する構成とすればよい。
上述した第２、第４、第６および第７実施形態のそれぞれにおいて、補正対象となる明画素や暗画素の各画素の階調レベルはそれぞれ同じでなくてもよい。また、第６，７実施形態において、補正対象となる明画素の数と暗画素との数（Ｋの値）が相違していてもよい。
また、各実施形態において、液晶素子１２０は、透過型に限られず、反射型であってもよい。
【０１０６】
（変形例５）電子機器
次に、上述した実施形態に係る液晶表示装置を用いた電子機器の一例として、液晶パネル１００をライトバルブとして用いた投射型表示装置（プロジェクター）について説明する。図３５は、このプロジェクターの構成を示す平面図である。
この図に示すように、プロジェクター２１００の内部には、ハロゲンランプ等の白色光源からなるランプユニット２１０２が設けられている。このランプユニット２１０２から射出された投射光は、内部に配置された３枚のミラー２１０６および２枚のダイクロイックミラー２１０８によってＲ（赤）色、Ｇ（緑）色、Ｂ（青）色の３原色に分離されて、各原色に対応するライトバルブ１００Ｒ、１００Ｇおよび１００Ｂにそれぞれ導かれる。なお、Ｂ色の光は、他のＲ色やＧ色と比較すると、光路が長いので、その損失を防ぐために、入射レンズ２１２２、リレーレンズ２１２３および出射レンズ２１２４からなるリレーレンズ系２１２１を介して導かれる。
【０１０７】
このプロジェクター２１００では、液晶パネル１００を含む液晶表示装置が、Ｒ色、Ｇ色、Ｂ色のそれぞれに対応して３組設けられる。ライトバルブ１００Ｒ、１００Ｇおよび１００Ｂの構成は、上述した液晶パネル１００と同様である。Ｒ色、Ｇ色、Ｂ色のそれぞれの原色成分の階調レベルを指定するに映像信号がそれぞれ外部上位回路から供給されて、ライトバルブ１００Ｒ、１００Ｇおよび１００がそれぞれ駆動される構成となっている。
ライトバルブ１００Ｒ、１００Ｇ、１００Ｂによってそれぞれ変調された光は、ダイクロイックプリズム２１１２に３方向から入射する。そして、このダイクロイックプリズム２１１２において、Ｒ色およびＢ色の光は９０度に屈折する一方、Ｇ色の光は直進する。したがって、各原色の画像が合成された後、スクリーン２１２０には、投射レンズ２１１４によってカラー画像が投射されることとなる。
【０１０８】
なお、ライトバルブ１００Ｒ、１００Ｇおよび１００Ｂには、ダイクロイックミラー２１０８によって、Ｒ色、Ｇ色、Ｂ色のそれぞれに対応する光が入射するので、カラーフィルタを設ける必要はない。また、ライトバルブ１００Ｒ、１００Ｂの透過像は、ダイクロイックプリズム２１１２により反射した後に投射されるのに対し、ライトバルブ１００Ｇの透過像はそのまま投射されるので、ライトバルブ１００Ｒ、１００Ｂによる水平走査方向は、ライトバルブ１００Ｇによる水平走査方向と逆向きにして、左右を反転させた像を表示する構成となっている。
【０１０９】
電子機器としては、図３５を参照して説明したプロジェクターの他にも、テレビジョンや、ビューファインダー型・モニター直視型のビデオテープレコーダー、カーナビゲーション装置、ページャー、電子手帳、電卓、ワードプロセッサー、ワークステーション、テレビ電話、ＰＯＳ端末、デジタルスチルカメラ、携帯電話機、タッチパネルを備えた機器等などが挙げられる。そして、これらの各種の電子機器に対して、上記液晶表示装置が適用可能なのは言うまでもない。
【符号の説明】
【０１１０】
１…液晶表示装置、３０…映像処理回路、１００…液晶パネル、１００ａ…素子基板、１００ｂ…対向基板、１０５…液晶、１０８…コモン電極、１１８…画素電極、１２０…液晶素子、３０２…フレームメモリー、３０４…オーバードライブ制御部、３０６２…現フレーム検出部、３０６４…前フレーム検出部、３０６６…保存部、３０６８…適用境界決定部、３０８…遅延回路、３１０…ＯＲ回路、３１２…リスク境界検出部、３１４…前フレーム状態判別部、３１６…補正部、３１６２…判別部、３１６４…置換部、３１８…Ｄ／Ａ変換器、３２０…遅延回路、３２２…算出部、２１００…プロジェクター
【図１】
0005601173.tif 000002
【図２】
0005601173.tif 000003
【図３】
0005601173.tif 000004
【図４】
0005601173.tif 000005
【図５】
0005601173.tif 000006
【図６】
0005601173.tif 000007
【図７】
0005601173.tif 000008
【図８】
0005601173.tif 000009
【図９】
0005601173.tif 000010
【図１０】
0005601173.tif 000011
【図１１】
0005601173.tif 000012
【図１２】
0005601173.tif 000013
【図１３】
0005601173.tif 000014
【図１４】
0005601173.tif 000015
【図１５】
0005601173.tif 000016
【図１６】
0005601173.tif 000017
【図１７】
0005601173.tif 000018
【図１８】
0005601173.tif 000019
【図１９】
0005601173.tif 000020
【図２０】
0005601173.tif 000021
【図２１】
0005601173.tif 000022
【図２２】
0005601173.tif 000023
【図２３】
0005601173.tif 000024
【図２４】
0005601173.tif 000025
【図２５】
0005601173.tif 000026
【図２６】
0005601173.tif 000027
【図２７】
0005601173.tif 000028
【図２８】
0005601173.tif 000029
【図２９】
0005601173.tif 000030
【図３０】
0005601173.tif 000031
【図３１】
0005601173.tif 000032
【図３２】
0005601173.tif 000033
【図３３】
0005601173.tif 000034
【図３４】
0005601173.tif 000035
【図３５】
0005601173.tif 000036
【図３６】
0005601173.tif 000037